(57)【要約】【課題】本発明は環境保護型の電子廃棄物処理装置を開示した。【解決手段】環境保護型の電子廃棄物処理装置は装置主体を含み、前記装置主体の中に設置される溶解装置及び前記装置主体に固定装置が設置され、前記溶解装置が前記装置主体の上側端面に固定接続される第一固定ブロックを含み、前記第一固定ブロックの中に第一中空筐体が設置され、前記第一中空筐体の下側内壁に第二固定ブロックが固定接続され、前記第二固定ブロックの上側端面に第一電機が固定接続され、電子商品が暫く使用されたら、廃棄処理に直面して、廃棄された電子商品にまだ使える部品を着脱して、残りの電子廃棄物の処理が面倒で、思うままに埋めて捨てると、環境汚染を招くこともあり、本発明は一回着脱される電子廃棄物を処理して、中に含まれる金属成分を回収することが意図されている。【選択図】図1
2019202309.tif 000002
【特許請求の範囲】
【請求項１】
環境保護型の電子廃棄物処理装置は装置主体を含み、前記装置主体の中に設置される溶解装置及び前記装置主体に固定装置が設置され、前記溶解装置が前記装置主体の上側端面に固定接続される第一固定ブロックを含み、前記第一固定ブロックの中に第一中空筐体が設置され、前記第一中空筐体の下側内壁に第二固定ブロックが固定接続され、前記第二固定ブロックの上側端面に第一電機が固定接続され、前記第一電機の上端  に回転軸を通じて上端から抜け出す前記第一固定ブロックの上側端面外にある第一回転ブロックが動力で係合接続され、前記第一回転ブロックの中に上向きの第二中空筐体が設置され、前記第二中空筐体の左右両側の内壁に第三スルーホールが貫いて設置され、前記第三固定ブロックの左右両側端面にかき混ぜ組立部品が固定接続され、前記第二固定ブロックの下側端面に第二電機が固定設置され、前記装置主体の中に第三中空筐体が設置され、前記第三中空筐体の中に上下滑動できる昇降ブロックが設置され、前記第三中空筐体の上側内壁に第四中空筐体が設置され、前記第四中空筐体の中に巻き線輪が回り設置され、前記巻き線輪の上端が回転軸を通じて前記第二電機の下端に動力で係合接続され、前記巻き線輪の下端に前記第三中空筐体の中に入り込む第一回転支柱が固定接続され、前記第一回転支柱の上に材料押し出し装置が設置され、前記巻き線輪に二本の張り線が巻き付かれ、前記第四中空筐体の左右両側に前記第一中空筐体と前記第三中空筐体を連結する第二スルーホールが設置され、前記第二スルーホールの左右両側の内壁の間に第三固定ブロックが固定接続され、前記第三固定ブロックの中に前記第四中空筐体に連結される第一溝が設置され、前記第三中空筐体の上側内壁の左右両側に第五中空筐体が対称で設置され、前記第五中空筐体が前記第四中空筐体に近づく一端の内壁と前記第一溝の間に第二溝が連結設置され、前記第三中空筐体の左右両側の内壁に前記第五中空筐体に連結される第三溝が設置され、前記第三溝に上下滑動できる第一滑りブロックが設置され、前記巻き線輪に巻き付く二本の張り線のもう一端が別々で左右両側の第一溝と第二溝を通り過ぎ、前記第五中空筐体の中に設置されるリード線輪が転向したら前記第一滑りブロックの上側端面に固定接続され、前記第三溝が前記第三中空筐体に近づく一端の内壁に前記第三中空筐体と前記第三溝を連結する第四溝が設置され、前記昇降ブロックと前記第一滑りブロックが前記第三中空筐体に近づく側の端面の間に前記第四溝に上下滑動できる第二滑りブロックが固定接続され、前記かき混ぜ組立部品が前記第一回転ブロックが上側端面に近づく左右両側の端面に左右対称で固定接続される第四固定ブロックを含み、前記第一回転ブロックが下側端面に近づく左右両側の端面に前記第四固定ブロックに向かい合う第五固定ブロックが対称で固定接続され、前記第五固定ブロックの上端と前記第四固定ブロックの下端の間に第二回転ブロックが回り係合接続され、前記第二回転ブロックの周りの端面にかき混ぜ片が固定接続され、前記かき混ぜ切れ端が固定接続され、前記かき混ぜ切れ端が前記第一回転ブロックに近づいて、前記第三スルーホールに近づいて且つ第三スルーホールから出す電子廃棄物をかき混ぜ、前記第一���空筐体の内壁に円状の第六固定ブロックが固定接続され、前記第六固定ブロックが前記第一回転ブロックに近づく一側端面に前記かき混ぜ切れ端に係合されるねじ溝が設置され、前記ねじ溝が第一回転ブロックが第二回転ブロックを動かして回せる時、第二回転ブロックを動かして自転させ、前記材料押し出し装置が前記第三中空筐体の中に設置される第三回転ブロックを含み、前記第三回転ブロックの中に上向きの第一回転溝が設置され、前記第一回転支柱の下端が前記第一回転溝に入り込み、前記第一回転溝の左右両側の内壁に第一滑り溝が連結設置され、前記第一回転支柱の左右両側の端面に前記第一滑り溝に入り込む第三滑りブロックが固定接続され、前記第三回転ブロックの下側端面に第七固定ブロックが固定接続され、前記第七固定ブロックの前側端面に押しブロックが固定接続され、前記第三中空筐体の前後側端面に前記第三中空筐体に連結される第二滑り溝が別々で左右対称で設置され、前記昇降ブロックの前後側端面に別々で接続ブロックを通じて前記第二滑り溝に入り込むローラーが接続され、前記第三中空筐体の下側内壁に前記第三中空筐体と外部を連結する出水パイプが設置され、前記出水パイプと前記第三中空筐体が連結する処に通水バルブが設置され、前記第三中空筐体が左側に近づく上側内壁に前記第二溝をめぐって開口が前後対称で設置され、前記開口が酸分解された残渣を取り出すに使われ、前記第三溝の上端開口の内壁に隔離ブロックが固定接続され、前記隔離ブロックで前記張り線を遮断して余りの酸溶液を引き出し、前記固定装置が前記装置主体の左右両側端面の下に固定接続される固定ブロックを含み、前記固定ブロックの中に上下貫く固定ホールが設置される。
【発明の詳細な説明】
【技術分野】
【０００１】
本発明は電子廃棄物の処理分野に関し、具体的には、環境保護型の電子廃棄物処理装置に関する。
【背景技術】
【０００２】
現在は電子情報化時代であり、我々の生活に様々な電子商品が溢れていて、電子商品が暫く使用されたら、廃棄処理に直面して、廃棄された電子商品にまだ使える部品を着脱して、残りの電子廃棄物の処理が面倒で、思うままに埋めて捨てると、環境汚染を招くこともあり、本発明は一回着脱される電子廃棄物を処理して、中に含まれる金属成分を回収するにより、浪費と汚染を減少し、環境保護型の電子廃棄物の処理装置が確実に必要である。
【先行技術文献】
【特許文献】
【０００３】
【特許文献１】中国特許出願公開第102285738号明細書
【発明の概要】
【発明が解決しようとする課題】
【０００４】
本発明の目的は上記の背景技術に提出された問題を解決するための  環境保護型の電子廃棄物処理装置を提供することにある。
【課題を解決するための手段】
【０００５】
上記の目的を実現するために、本発明には、装置主体を含み、前記装置主体の中に設置される溶解装置及び前記装置主体に固定装置が設置され、前記溶解装置が前記装置主体の上側端面に固定接続される第一固定ブロックを含み、前記第一固定ブロックの中に第一中空筐体が設置され、前記第一中空筐体の下側内壁に第二固定ブロックが固定接続され、前記第二固定ブロックの上側端面に第一電機が固定接続され、前記第一電機の上端  に回転軸を通じて上端から抜け出す前記第一固定ブロックの上側端面外にある第一回転ブロックが動力で係合接続され、前記第一回転ブロックの中に上向きの第二中空筐体が設置され、前記第二中空筐体の左右両側の内壁に第三スルーホールが貫いて設置され、前記第三固定ブロックの左右両側端面にかき混ぜ組立部品が固定接続され、前記第二固定ブロックの下側端面に第二電機が固定設置され、前記装置主体の中に第三中空筐体が設置され、前記第三中空筐体の中に上下滑動できる昇降ブロックが設置され、前記第三中空筐体の上側内壁に第四中空筐体が設置され、前記第四中空筐体の中に巻き線輪が回り設置され、前記巻き線輪の上端が回転軸を通じて前記第二電機の下端に動力で係合接続され、前記巻き線輪の下端に前記第三中空筐体の中に入り込む第一回転支柱が固定接続され、前記第一回転支柱の上に材料押し出し装置が設置され、前記巻き線輪に二本の張り線が巻き付かれ、前記第四中空筐体の左右両側に前記第一中空筐体と前記第三中空筐体を連結する第二スルーホールが設置され、前記第二スルーホールの左右両側の内壁の間に第三固定ブロックが固定接続され、前記第三固定ブロックの中に前記第四中空筐体に連結される第一溝が設置され、前記第三中空筐体の上側内壁の左右両側に第五中空筐体が対称で設置され、前記第五中空筐体が前記第四中空筐体に近づく一端の内壁と前記第一溝の間に第二溝が連結設置され、前記第三中空筐体の左右両側の内壁に前記第五中空筐体に連結される第三溝が設置され、前記第三溝に上下滑動できる第一滑りブロックが設置され、前記巻き線輪に巻き付く二本の張り線のもう一端が別々で左右両側の第一溝と第二溝を通り過ぎ、前記第五中空筐体の中に設置されるリード線輪が転向したら前記第一滑りブロックの上側端面に固定接続され、前記第三溝が前記第三中空筐体に近づく一端の内壁に前記第三中空筐体と前記第三溝を連結する第四溝が設置され、前記昇降ブロックと前記第一滑りブロックが前記第三中空筐体に近づく側の端面の間に前記第四溝に上下滑動できる第二滑りブロックが固定接続される。
【０００６】
優選されたプランとして、前記かき混ぜ組立部品が前記第一回転ブロックが上側端面に近づく左右両側の端面に左右対称で固定接続される第四固定ブロックを含み、前記第一回転ブロックが下側端面に近づく左右両側の端面に前記第四固定ブロックに向かい合う第五固定ブロックが対称で固定接続され、前記第五固定ブロックの上端と前記第四固定ブロックの下端の間に第二回転ブロックが回り係合接続され、前記第二回転ブロックの周りの端面にかき混ぜ片が固定接続され、前記かき混ぜ切れ端が固定接続され、前記かき混ぜ切れ端が前記第一回転ブロックに近づいて、前記第三スルーホールに近づいて且つ第三スルーホールから出す電子廃棄物をかき混ぜ、前記第一中空筐体の内壁に円状の第六固定ブロックが固定接続され、前記第六固定ブロックが前記第一回転ブロックに近づく一側端面に前記かき混ぜ切れ端に係合されるねじ溝が設置され、前記ねじ溝が第一回転ブロックが第二回転ブロックを動かして回せる時、第二回転ブロックを動かして自転させる。
【０００７】
優選されたプランとして、前記材料押し出し装置が前記第三中空筐体の中に設置される第三回転ブロックを含み、前記第三回転ブロックの中に上向きの第一回転溝が設置され、前記第一回転支柱の下端が前記第一回転溝に入り込み、前記第一回転溝の左右両側の内壁に第一滑り溝が連結設置され、前記第一回転支柱の左右両側の端面に前記第一滑り溝に入り込む第三滑りブロックが固定接続され、前記第三回転ブロックの下側端面に第七固定ブロックが固定接続され、前記第七固定ブロックの前側端面に押しブロックが固定接続される。
【０００８】
優選されたプランとして、前記第三中空筐体の前後側端面に前記第三中空筐体に連結される第二滑り溝が別々で左右対称で設置され、前記昇降ブロックの前後側端面に別々で接続ブロックを通じて前記第二滑り溝に入り込むローラーが接続される。
【０００９】
優選されたプランとして、前記第三中空筐体の下側内壁に前記第三中空筐体と外部を連結する出水パイプが設置され、前記出水パイプと前記第三中空筐体が連結する処に通水バルブが設置される。
【００１０】
優選されたプランとして、前記第三中空筐体の下側内壁に前記第三中空筐体と外部を連結する出水パイプが設置され、前記出水パイプと前記第三中空筐体が連結する処に通水バルブが設置される。
【００１１】
優選されたプランとして、前記第三中空筐体が左側に近づく上側内壁に前記第二溝をめぐって開口が前後対称で設置され、前記開口が酸分解された残渣を取り出すに使われる。
【００１２】
優選されたプランとして、前記第三溝の上端開口の内壁に隔離ブロックが固定接続され、前記隔離ブロックで前記張り線を遮断して余りの酸溶液を引き出す。
【００１３】
優選されたプランとして、前記固定装置が前記装置主体の左右両側端面の下に固定接続される固定ブロックを含み、前記固定ブロックの中に上下貫く固定ホールが設置される。
【発明の効果】
【００１４】
本発明の有益効果は、本発明の構造が簡単で、操作も便利である。本装置が使用される時、初期状態で、昇降ブロックが前記第三中空筐体の最低位置にあり、完全に酸溶液に浸され、電子廃棄物の酸溶解を行う時、第一電機が起動され、作業員が第二中空筐体に電子廃棄物を入れて、この時、体積が小さい電子廃棄物が第三スルーホールを通り過ぎて第一中空筐体に落ちてから、第三中空筐体に落ちて且つ昇降ブロックの上側端面を遮断し、途中第一回転ブロックが第二回転ブロックを動かして第一回転ブロックをめぐって回せ、それによって、かき混ぜ切れ端と第六固定ブロックに設置されるねじ溝を通じて第二回転ブロックを動かして自転させ、かき混ぜ切れ端を通じて第二中空筐体の中にある電子廃棄物をかき混ぜて第三中空筐体に落ちて、暫く酸分解されてから第二電機が起動され、それによって、回転軸を通じて巻き線輪を動かして回せ、この時、巻き線輪が張り線を引っ張って、第一滑りブロックを上に上げ、昇降ブロックの上向きの一端を酸溶液から抜け出せ、それと同時に、巻き線輪が第一回転支柱を動かして回せ、押しブロックを動かして回せ、昇降ブロックが上に移動して第七固定ブロックの下端面に触れ合う時、昇降ブロックが上に向いて第三回転ブロックを押して、途中押しブロックが酸分解された電子廃棄物を片隅に押せ、この時、作業員が開口から酸分解された電子廃棄物を取り出し、それと同時に、第三中空筐体の中にある酸溶液が飽和する時、作業員が通水バルブをつけて第三中空筐体の中にある酸溶液を吸い出し、廃棄された電子廃棄物の中に大量の金属成分が含まれ、電子廃棄物に含まれる金属成分の含有量が鉱石より高くて、回収価値も割に高くて、本装置で電子廃棄物に含まれる金属成分を酸分解してから回収して、実用価値が割に高くて、勧める値打ちがある。
【図面の簡単な説明】
【００１５】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１６】
【図１】環境保護型の電子廃棄物処理装置の内部構造模式図である。
【図２】図1のA-A方向の構造模式図である。
【図３】本装置の中にある第二回転ブロックの構造模式図である。
【発明を実施するための形態】
【００１７】
図1-3が示すように、本発明の環境保護型の電子廃棄物処理装置は装置主体36を含み、前記装置主体36の中に設置される溶解装置及び前記装置主体36に固定装置が設置され、前記溶解装置が前記装置主体36の上側端面に固定接続される第一固定ブロック11を含み、前記第一固定ブロック11の中に第一中空筐体21が設置され、前記第一中空筐体21の下側内壁に第二固定ブロック33が固定接続され、前記第二固定ブロック33の上側端面に第一電機34が固定接続され、前記第一電機34の上端  に回転軸を通じて上端から抜け出す前記第一固定ブロック11の上側端面外にある第一回転ブロック22が動力で係合接続され、前記第一回転ブロック22の中に上向きの第二中空筐体24が設置され、前記第二中空筐体24の左右両側の内壁に第三スルーホール27が貫いて設置され、前記第三固定ブロック23の左右両側端面にかき混ぜ組立部品が固定接続され、前記第二固定ブロック33の下側端面に第二電機35が固定設置され、前記装置主体36の中に第三中空筐体37が設置され、前記第三中空筐体37の中に上下滑動できる昇降ブロック47が設置され、前記第三中空筐体37の上側内壁に第四中空筐体54が設置され、前記第四中空筐体54の中に巻き線輪53が回り設置され、前記巻き線輪53の上端が回転軸を通じて前記第二電機35の下端に動力で係合接続され、前記巻き線輪53の下端に前記第三中空筐体37の中に入り込む第一回転支柱55が固定接続され、前記第一回転支柱55の上に材料押し出し装置が設置され、前記巻き線輪53に二本の張り線42が巻き付かれ、前記第四中空筐体54の左右両側に前記第一中空筐体21と前記第三中空筐体37を連結する第二スルーホール49が設置され、前記第二スルーホール49の左右両側の内壁の間に第三固定ブロック51が固定接続され、前記第三固定ブロック51の中に前記第四中空筐体54に連結される第一溝52が設置され、前記第三中空筐体37の上側内壁の左右両側に第五中空筐体38が対称で設置され、前記第五中空筐体38が前記第四中空筐体54に近づく一端の内壁と前記第一溝52の間に第二溝48が連結設置され、前記第三中空筐体37の左右両側の内壁に前記第五中空筐体38に連結される第三溝41が設置され、前記第三溝41に上下滑動できる第一滑りブロック45が設置され、前記巻き線輪53に巻き付く二本の張り線42のもう一端が別々で左右両側の第一溝52と第二溝48を通り過ぎ、前記第五中空筐体38の中に設置されるリード線輪が転向したら前記第一滑りブロック45の上側端面に固定接続され、前記第三溝41が前記第三中空筐体37に近づく一端の内壁に前記第三中空筐体37と前記第三溝41を連結する第四溝44が設置され、前記昇降ブロック47と前記第一滑りブロック45が前記第三中空筐体37に近づく側の端面の間に前記第四溝44に上下滑動できる第二滑りブロック46が固定接続される。
【００１８】
有益的には、前記かき混ぜ組立部品が前記第一回転ブロック22が上側端面に近づく左右両側の端面に左右対称で固定接続される第四固定ブロック28を含み、前記第一回転ブロック22が下側端面に近づく左右両側の端面に前記第四固定ブロック28に向かい合う第五固定ブロック20が対称で固定接続され、前記第五固定ブロック20の上端と前記第四固定ブロック28の下端の間に第二回転ブロック29が回り係合接続され、前記第二回転ブロック29の周りの端面にかき混ぜ片31が固定接続され、前記かき混ぜ切れ端31が固定接続され、前記かき混ぜ切れ端31が前記第一回転ブロック22に近づいて、前記第三スルーホール27に近づいて且つ第三スルーホール27から出す電子廃棄物をかき混ぜ、前記第一中空筐体21の内壁に円状の第六固定ブロック32が固定接続され、前記第六固定ブロック32が前記第一回転ブロック22に近づく一側端面に前記かき混ぜ切れ端31に係合されるねじ溝が設置され、前記ねじ溝が第一回転ブロック22が第二回転ブロック29を動かして回せる時、第二回転ブロック29を動かして自転させる。
【００１９】
有益的には、前記材料押し出し装置が前記第三中空筐体37の中に設置される第三回転ブロック60を含み、前記第三回転ブロック60の中に上向きの第一回転溝58が設置され、前記第一回転支柱55の下端が前記第一回転溝58に入り込み、前記第一回転溝58の左右両側の内壁に第一滑り溝57が連結設置され、前記第一回転支柱55の左右両側の端面に前記第一滑り溝57に入り込む第三滑りブロック56が固定接続され、前記第三回転ブロック60の下側端面に第七固定ブロック59が固定接続され、前記第七固定ブロック59の前側端面に押しブロック61が固定接続される。
【００２０】
有益的には、前記第三中空筐体37の前後側端面に前記第三中空筐体37に連結される第二滑り溝43が別々で左右対称で設置され、前記昇降ブロック47の前後側端面に別々で接続ブロック63を通じて前記第二滑り溝43に入り込むローラー64が接続される。
【００２１】
有益的には、前記第三中空筐体37の下側内壁に前記第三中空筐体37と外部を連結する出水パイプ76が設置され、前記出水パイプ76と前記第三中空筐体37が連結する処に通水バルブ75が設置される。
【００２２】
有益的には、前記第三中空筐体37が左側に近づく上側内壁に前記第二溝48をめぐって開口62が前後対称で設置され、前記開口62が酸分解された残渣を取り出すに使われる。
【００２３】
有益的には、前記第三溝41の上端開口の内壁に隔離ブロック39が固定接続され、前記隔離ブロック39で前記張り線42を遮断して余りの酸溶液を引き出す。
【００２４】
有益的には、前記固定装置が前記装置主体36の左右両側端面の下に固定接続される固定ブロック81を含み、前記固定ブロック81の中に上下貫く固定ホール82が設置される。
【００２５】
本装置が使用される時、初期状態で、昇降ブロック47が前記第三中空筐体37の最低位置にあり、完全に酸溶液に浸され、電子廃棄物の酸溶解を行う時、第一電機34が起動され、作業員が第二中空筐体24に電子廃棄物を入れて、この時、体積が小さい電子廃棄物が第三スルーホール27を通り過ぎて第一中空筐体21に落ちてから、第三中空筐体37に落ちて且つ昇降ブロック47の上側端面を遮断し、途中第一回転ブロック22が第二回転ブロック29を動かして第一回転ブロック22をめぐって回せ、それによって、かき混ぜ切れ端31と第六固定ブロック32に設置されるねじ溝を通じて第二回転ブロック29を動かして自転させ、かき混ぜ切れ端31を通じて第二中空筐体24の中にある電子廃棄物をかき混ぜて第三中空筐体37に落ちて、暫く酸分解されてから第二電機35が起動され、それによって、回転軸を通じて巻き線輪53を動かして回せ、この時、巻き線輪53が張り線42を引っ張って、第一滑りブロック45を上に上げ、昇降ブロック47の上向きの一端を酸溶液から抜け出せ、それと同時に、巻き線輪53が第一回転支柱55を動かして回せ、押しブロック61を動かして回せ、昇降ブロック47が上に移動して第七固定ブロック59の下端面に触れ合う時、昇降ブロック47が上に向いて第三回転ブロック60を押して、途中押しブロック61が酸分解された電子廃棄物を片隅に押せ、この時、作業員が開口62から酸分解された電子廃棄物を取り出し、それと同時に、第三中空筐体37の中にある酸溶液が飽和する時、作業員が通水バルブ75をつけて第三中空筐体37の中にある酸溶液を吸い出す。
【００２６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2019202309.tif 000003
【図２】
2019202309.tif 000004
【図３】
2019202309.tif 000005
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
装置主体と、前記装置主体の中に設置される溶解装置及び前記装置主体に設置される固定装置を含み、前記装置主体の中に設置される溶解装置及び前記装置主体に固定装置が設置され、前記溶解装置が前記装置主体の上側端面の中部位置に固定的に接続される第一固定ブロックを含み、前記第一固定ブロックの中に第一中空キャビティが設置され、前記第一中空キャビティの下側内壁に第二固定ブロックが固定的に接続され、前記第二固定ブロックの上側端面に第一モーターが固定的に設置され、前記第一モーターの上端には回転軸を通じて上端が前記第一固定ブロックの上側端面外に伸び出、且つ前記第一中空キャビティの中で回転できる第一スイベルブロックが動力が伝達できるように係合接続され、前記第一スイベルブロックの中に上向きの第二中空キャビティが設置され、前記第二中空キャビティの左右両側の内壁には第一抜き穴が左右に貫通するように対称的に設置され、前記第一スイベルブロックの左右両側端面に解砕組立部品が固定的に接続され、前記第二固定ブロックの下側端面の中において前記第一モーターの下側には前記第二モーターが固定的に設置され、前記装置主体の中に第三中空キャビティが設置され、前記第三中空キャビティの中に上下スライドできる昇降ブロックが設置され、前記第三中空キャビティの上側内壁に第四中空キャビティが設置され、前記第四中空キャビティの中に巻取リールが回転できるように設置され、前記巻取リールの上端が回転軸を通じて前記第二モーターの下端に動力が伝達できるように係合接続され、前記巻取リールの下端に前記第三中空キャビティの中に入り込む第一回転支柱が固定的に接続され、前記第一回転支柱の上に材料押し出し装置が設置され、前記巻取リールに二本の張り線が巻き付かれ、前記第四中空キャビティの左右両側に前記第一中空キャビティと前記第三中空キャビティとを連通する第二抜き穴が上下に貫通するように設置され、前記第二抜き穴の左右両側の内壁の間に第三固定ブロックが固定的に接続され、前記第三固定ブロックの中に前記第四中空キャビティに連通される第一溝が設置され、前記第三中空キャビティのうち左右両側の内壁に近接する上側内壁の中には前記第四中空キャビティに関して対称し合う第五中空キャビティがそれぞれ設置され、前記第五中空キャビティのうち前記第四中空キャビティに近接する片側の内壁と前記第一溝との間に第二溝が連通しあって設置され、前記第三中空キャビティの左右両側の内壁に前記第五中空キャビティの下端に連通される第三溝が設置され、前記第三溝の中には上下にスライドできる第一滑りブロックが設置され、前記巻取リールに周設される二本の前記張り線のうち前記巻取リールから離れている一端がそれぞれ左右両側の前記第一溝及び前記第二溝を経由し、且つ前記第五中空キャビティの中に設置されるラインローラの案内によって左右対称の前記第一滑りブロックの上側端面に固定的に接続され、前記第三溝のうち前記第三中空キャビティに近接する片側の内壁の中には前記第三中空キャビティと前記第三溝とを連通する第四溝が設置され、前記昇降ブロックと前記第一滑りブロックとが相対する片側の端面の間には前記第四溝の中で上下にスライドできる第二滑りブロックが固定的に接続されることを特徴とする環境保護型の電子廃棄物処理装置。
【請求項２】
前記解砕組立部品は左右対称の、且つ前記第一スイベルブロックの左右両側の端面に固定的に接続される第四固定ブロックを含み、前記第四固定ブロックが前記第一抜き穴の上側における前記第一スイベルブロックの左右両側の端面に設置され、前記第一スイベルブロックが下側端面に近づく左右両側の端面には前記第四固定ブロックと平行するように設置される第五固定ブロックが対称で固定的に接続され、前記第五固定ブロックの上端と前記第四固定ブロックの下端の間に第一回転ブロックが回転できるように係合接続され、前記第一回転ブロックの周側の弧状の端面に解砕片が固定的に接続され、前記解砕片のうち前記第一スイベルブロックに近接する一端と、前記第一抜き穴のうち前記第二中空キャビティから離れている一端との開口が当接され、且つ前記第一回転ブロックの回転中に、前記第一抜き穴から露出する電子廃棄物を解砕でき、前記第一中空キャビティの内壁には環状の第六固定ブロックが固定的に接続され、前記第六固定ブロックが前記第一スイベルブロックに近づく一側端面に前記解砕片に係合されるねじ溝が設置され、前記ねじ溝は第一スイベルブロックが第一回転ブロックを駆動させて回転させる時、前記第一回転ブロックを駆動させて自転させることを特徴とする請求項１に記載の環境保護型の電子廃棄物処理装置。
【請求項３】
前記材料押し出し装置が前記第三中空キャビティの中に設置される第二スイベルブロックを含み、前記第二スイベルブロックの中に上向きの第一回転溝が設置され、前記第一回転支柱の下端が前記第一回転溝に入り込み、前記第一回転溝の左右両側の内壁に第一滑り溝が連通設置され、前記第一回転支柱の左右両側の端面には前記第一滑り溝の中に入り込み且つ前記第一滑り溝の中で上下にスライドできる第三滑りブロックが固定的に接続され、前記第二スイベルブロックの下側端面に第七固定ブロックが固定的に接続され、前記第七固定ブロックの前側端面に押しブロックが固定的に接続されることを特徴とする請求項１に記載の環境保護型の電子廃棄物処理装置。
【請求項４】
前記第三中空キャビティの前後側端面にはそれぞれ前記第三中空キャビティに連通する第二滑り溝が左右対称的に設置され、前記昇降ブロックの前後側端面にはそれぞれ接続ブロックを通じて前記第二滑り溝の中に延伸して入り込み且つ前記第二滑り溝のうち前記第三中空キャビティから離れる片側の内壁と360度に転がれるように係合接続するローラーが接続されることを特徴とする請求項１に記載の環境保護型の電子廃棄物処理装置。
【請求項５】
前記第三中空キャビティの下側内壁に前記第三中空キャビティと外部を連通する出水パイプが設置され、前記出水パイプと前記第三中空キャビティが連通する処に通水バルブが設置され、前記通水バルブが開弁する時に前記第三中空キャビティの中の液体を放出することができることを特徴とする請求項１に記載の環境保護型の電子廃棄物処理装置。
【請求項６】
前記第三中空キャビティのうち左側に近接する上側内壁に前記第二溝をめぐって開口が前後対称に設置され、前記開口が酸分解された残渣を取り出すことに使われることを特徴とする請求項１に記載の環境保護型の電子廃棄物処理装置。
【請求項７】
前記第三溝の上端開口のところの内壁に隔離ブロックが固定的に接続され、前記隔離ブロックで前記張り線を遮断して余りの酸溶液を引き出すことを特徴とする請求項１に記載の環境保護型の電子廃棄物処理装置。
【請求項８】
前記固定装置が前記装置主体の左右両側端面の下端に固定的に接続される固定ブロックを含み、前記固定ブロックの中には上下に貫く固定ホールが設置され、前記装置主体が前記固定装置を通して固定することができ、更に本装置が作動過程においてスライドすることを防止することを特徴とする請求項１に記載の環境保護型の電子廃棄物処理装置。
【手続補正２】
【補正対象書類名】明細書
【補正対象項目名】全文
【補正方法】変更
【補正の内容】
【発明の詳細な説明】
【技術分野】
【０００１】
本発明は電子廃棄物の処理分野に関し、具体的には、電子廃棄物処理装置に関する。
【背景技術】
【０００２】
現在は電子情報化時代であり、我々の生活に様々な電子商品が溢れていて、電子商品が暫く使用されたら、廃棄処理に直面して、廃棄された電子商品にまだ使える部品を着脱して回収し、残りの電子廃棄物の処理が面倒で、思うままに埋めて捨てると、環境汚染を招くこともあり、本発明は一回着脱される電子廃棄物を処理して、中に含まれる金属成分を回収するにより、浪費と汚染を減少し、環境保護型の電子廃棄物の処理装置が確実に必要である。
【先行技術文献】
【特許文献】
【０００３】
【特許文献１】中国特許出願公開第102285738号明細書
【発明の概要】
【発明が解決しようとする課題】
【０００４】
本発明の目的は上記の背景技術に提出された問題を解決するための電子廃棄物処理装置を提供することにある。
【課題を解決するための手段】
【０００５】
上記の目的を実現するために、本発明は、装置主体と、前記装置主体の中に設置される溶解装置及び前記装置主体に設置される固定装置を含み、前記溶解装置が前記装置主体の上側端面の中部位置に固定的に接続される第一固定ブロックを含み、前記第一固定ブロックの中に第一中空キャビティが設置され、前記第一中空キャビティの下側内壁に第二固定ブロックが固定的に接続され、前記第二固定ブロックの上側端面に第一モーターが固定的に設置され、前記第一モーターの上端には回転軸を通じて上端が前記第一固定ブロックの上側端面外に伸び出、且つ前記第一中空キャビティの中で回転できる第一スイベルブロックが動力が伝達できるように係合接続され、前記第一スイベルブロックの中に上向きの第二中空キャビティが設置され、前記第二中空キャビティの左右両側の内壁には第一抜き穴が左右に貫通するように対称的に設置され、前記第一スイベルブロックの左右両側端面に解砕組立部品が固定的に接続され、前記第二固定ブロックの下側端面の中において前記第一モーターの下側には前記第二モーターが固定的に設置され、前記装置主体の中に第三中空キャビティが設置され、前記第三中空キャビティの中に上下スライドできる昇降ブロックが設置され、前記第三中空キャビティの上側内壁に第四中空キャビティが設置され、前記第四中空キャビティの中に巻取リールが回転できるように設置され、前記巻取リールの上端が回転軸を通じて前記第二モーターの下端に動力が伝達できるように係合接続され、前記巻取リールの下端に前記第三中空キャビティの中に入り込む第一回転支柱が固定的に接続され、前記第一回転支柱の上に材料押し出し装置が設置され、前記巻取リールに二本の張り線が巻き付かれ、前記第四中空キャビティの左右両側に前記第一中空キャビティと前記第三中空キャビティとを連通する第二抜き穴が上下に貫通するように設置され、前記第二抜き穴の左右両側の内壁の間に第三固定ブロックが固定的に接続され、前記第三固定ブロックの中に前記第四中空キャビティに連通される第一溝が設置され、前記第三中空キャビティのうち左右両側の内壁に近接する上側内壁の中には前記第四中空キャビティに関して対称し合う第五中空キャビティがそれぞれ設置され、前記第五中空キャビティのうち前記第四中空キャビティに近接する片側の内壁と前記第一溝との間に第二溝が連通しあって設置され、前記第三中空キャビティの左右両側の内壁に前記第五中空キャビティの下端に連通される第三溝が設置され、前記第三溝の中には上下にスライドできる第一滑りブロックが設置され、前記巻取リールに周設される二本の前記張り線のうち前記巻取リールから離れている一端がそれぞれ左右両側の前記第一溝及び前記第二溝を経由し、且つ前記第五中空キャビティの中に設置されるラインローラの案内によって左右対称の前記第一滑りブロックの上側端面に固定的に接続され、前記第三溝のうち前記第三中空キャビティに近接する片側の内壁の中には前記第三中空キャビティと前記第三溝とを連通する第四溝が設置され、前記昇降ブロックと前記第一滑りブロックとが相対する片側の端面の間には前記第四溝の中で上下にスライドできる第二滑りブロックが固定的に接続される。
【０００６】
優選されたプランとして、前記解砕組立部品は左右対称の、且つ前記第一スイベルブロックの左右両側の端面に固定的に接続される第四固定ブロックを含み、前記第四固定ブロックが前記第一抜き穴の上側における前記第一スイベルブロックの左右両側の端面に設置され、前記第一スイベルブロックが下側端面に近づく左右両側の端面には前記第四固定ブロックと平行するように設置される第五固定ブロックが対称で固定的に接続され、前記第五固定ブロックの上端と前記第四固定ブロックの下端の間に第一回転ブロックが回転できるように係合接続され、前記第一回転ブロックの周側の弧状の端面に解砕片が固定的に接続され、前記解砕片のうち前記第一スイベルブロックに近接する一端と、前記第一抜き穴のうち前記第二中空キャビティから離れている一端との開口が当接され、且つ前記第一回転ブロックの回転中に、前記第一抜き穴から露出する電子廃棄物を解砕でき、前記第一中空キャビティの内壁には環状の第六固定ブロックが固定的に接続され、前記第六固定ブロックが前記第一スイベルブロックに近づく一側端面に前記解砕片に係合されるねじ溝が設置され、前記ねじ溝は第一スイベルブロックが第一回転ブロックを駆動させて回転させる時、前記第一回転ブロックを駆動させて自転させる。
【０００７】
優選されたプランとして、前記材料押し出し装置が前記第三中空キャビティの中に設置される第二スイベルブロックを含み、前記第二スイベルブロックの中に上向きの第一回転溝が設置され、前記第一回転支柱の下端が前記第一回転溝に入り込み、前記第一回転溝の左右両側の内壁に第一滑り溝が連通設置され、前記第一回転支柱の左右両側の端面には前記第一滑り溝の中に入り込み且つ前記第一滑り溝の中で上下にスライドできる第三滑りブロックが固定的に接続され、前記第二スイベルブロックの下側端面に第七固定ブロックが固定的に接続され、前記第七固定ブロックの前側端面に押しブロックが固定的に接続される。
【０００８】
優選されたプランとして、前記第三中空キャビティの前後側端面にはそれぞれ前記第三中空キャビティに連通する第二滑り溝が左右対称的に設置され、前記昇降ブロックの前後側端面にはそれぞれ接続ブロックを通じて前記第二滑り溝の中に延伸して入り込み且つ前記第二滑り溝のうち前記第三中空キャビティから離れる片側の内壁と360度に転がれるように係合接続するローラーが接続される。
【０００９】
優選されたプランとして、前記第三中空キャビティの下側内壁に前記第三中空キャビティと外部を連通する出水パイプが設置され、前記出水パイプと前記第三中空キャビティが連通する処に通水バルブが設置され、前記通水バルブが開弁する時に前記第三中空キャビティの中の液体を放出することができる。
【００１０】
優選されたプランとして、前記第三中空キャビティのうち左側に近接する上側内壁に前記第二溝をめぐって開口が前後対称に設置され、前記開口が酸分解された残渣を取り出すことに使われる。
【００１１】
優選されたプランとして、前記第三溝の上端開口のところの内壁に隔離ブロックが固定的に接続され、前記隔離ブロックで前記張り線を遮断して余りの酸溶液を引き出す。
【００１２】
優選されたプランとして、前記固定装置が前記装置主体の左右両側端面の下端に固定的に接続される固定ブロックを含み、前記固定ブロックの中には上下に貫く固定ホールが設置され、前記装置主体が前記固定装置を通して固定することができ、更に本装置が作動過程においてスライドすることを防止する。
【発明の効果】
【００１３】
本発明の有益効果は、本発明の構造が簡単で、操作も便利である。初期状態において、昇降ブロックが第三中空キャビティの最低位置にあり、更に完全に酸溶液に浸され、電子廃棄物の酸溶解を行う時、第一モーターが起動され、同時に作業員が第二中空キャビティの中に電子廃棄物を入れ、この時、体積が小さい電子廃棄物が第一抜き穴を通り過ぎて第一中空キャビティの中に落ち、更に第二抜き穴を通り過ぎて第三中空キャビティの中に落ち且つ昇降ブロックの上側端面に沈殿し、この過程において第一モーターが第一スイベルブロックを回転駆動させ、更に第一スイベルブロックが第一回転ブロックを動かして第一中空キャビティの中で第一モーターの上端に動力が伝達できるように接続される回転軸をめぐって回らせ、同時に第一回転ブロックが解砕片により第六固定ブロックに設置されるねじ溝のねじ山と係合して第一回転ブロックを動かして自転させ、更に解砕片の自転により第二中空キャビティの中にある電子廃棄物が解砕されて更に第三中空キャビティの中に落ち、暫く酸分解された後で第二モーターが起動され、更に回転軸を通じて巻取リールを動かして回転させ、この時、巻取リールが張り線を引っ張って、更に第一滑りブロックを連動して上昇させ、更に昇降ブロックを連動して上に移動させ、最終的に酸溶液から離脱させ、それと同時に、巻取リールが第一回転支柱を動かして回転させ、更に押しブロックを動かして回転させ、昇降ブロックが上に移動して第七固定ブロックの下端面と当接する時、昇降ブロックが上に向いて第二スイベルブロックを押し、この過程において押しブロックが酸分解された電子廃棄物を片隅に押せ、この時、作業員が開口から酸分解された電子廃棄物を取り出し、それと同時に、第三中空キャビティの中にある酸溶液が飽和状態になる時、作業員が通水バルブをつけて第三中空キャビティの中にある酸溶液を吸い出し、廃棄された電子廃棄物の中に大量の金属成分が含まれ、電子廃棄物に含まれる金属成分の含有量が鉱石より高くて、回収価値も割に高くて、本装置で電子廃棄物に含まれる金属成分を酸分解してから回収して、実用価値が割に高くて、勧める値打ちがある。
【図面の簡単な説明】
【００１４】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１５】
【図１】電子廃棄物処理装置の内部構造模式図である。
【図２】図1のA-A方向の構造模式図である。
【図３】本装置の中にある第一回転ブロックの構造模式図である。
【発明を実施するための形態】
【００１６】
（下記に図1〜３を合わせて本発明について詳しく説明する。意思疎通の便利を図った、下記に記載した上下左右前後方向は図1自身の投影関係の上下左右前後方向と一致している）図1-3が示すように、本発明の電子廃棄物処理装置は装置主体36と、前記装置主体36の中に設置される溶解装置及び前記装置主体36に設置される固定装置を含み、前記装置主体36の中に設置される溶解装置及び前記装置主体36に固定装置が設置され、前記溶解装置が前記装置主体36の上側端面の中部位置に固定的に接続される第一固定ブロック11を含み、前記第一固定ブロック11の中に第一中空キャビティ21が設置され、前記第一中空キャビティ21の下側内壁に第二固定ブロック33が固定的に接続され、前記第二固定ブロック33の上側端面に第一モーター34が固定的に設置され、前記第一モーター34の上端には回転軸を通じて上端が前記第一固定ブロック11の上側端面外に伸び出、且つ前記第一中空キャビティ21の中で回転できる第一スイベルブロック22が動力が伝達できるように係合接続され、前記第一スイベルブロック22の中に上向きの第二中空キャビティ24が設置され、前記第二中空キャビティ24の左右両側の内壁には第一抜き穴27が左右に貫通するように対称的に設置され、前記第一スイベルブロック22の左右両側端面に解砕組立部品が固定的に接続され、前記第二固定ブロック33の下側端面の中において前記第一モーター34の下側には前記第二モーター35が固定的に設置され、前記装置主体36の中に第三中空キャビティ37が設置され、前記第三中空キャビティ37の中に上下スライドできる昇降ブロック47が設置され、前記第三中空キャビティ37の上側内壁に第四中空キャビティ54が設置され、前記第四中空キャビティ54の中に巻取リール53が回転できるように設置され、前記巻取リール53の上端が回転軸を通じて前記第二モーター35の下端に動力が伝達できるように係合接続され、前記巻取リール53の下端に前記第三中空キャビティ37の中に入り込む第一回転支柱55が固定的に接続され、前記第一回転支柱55の上に材料押し出し装置が設置され、前記巻取リール53に二本の張り線42が巻き付かれ、前記第四中空キャビティ54の左右両側に前記第一中空キャビティ21と前記第三中空キャビティ37とを連通する第二抜き穴49が上下に貫通するように設置され、前記第二抜き穴49の左右両側の内壁の間に第三固定ブロック51が固定的に接続され、前記第三固定ブロック51の中に前記第四中空キャビティ54に連通される第一溝52が設置され、前記第三中空キャビティ37のうち左右両側の内壁に近接する上側内壁の中には前記第四中空キャビティ54に関して対称し合う第五中空キャビティ38がそれぞれ設置され、前記第五中空キャビティ38のうち前記第四中空キャビティ54に近接する片側の内壁と前記第一溝52との間に第二溝48が連通しあって設置され、前記第三中空キャビティ37の左右両側の内壁に前記第五中空キャビティ38の下端に連通される第三溝41が設置され、前記第三溝41の中には上下にスライドできる第一滑りブロック45が設置され、前記巻取リール53に周設される二本の前記張り線42のうち前記巻取リール53から離れている一端がそれぞれ左右両側の前記第一溝52及び前記第二溝48を経由し、且つ前記第五中空キャビティ38の中に設置されるラインローラの案内によって左右対称の前記第一滑りブロック45の上側端面に固定的に接続され、前記第三溝41のうち前記第三中空キャビティ37に近接する片側の内壁の中には前記第三中空キャビティ37と前記第三溝41とを連通する第四溝44が設置され、前記昇降ブロック47と前記第一滑りブロック45とが相対する片側の端面の間には前記第四溝44の中で上下にスライドできる第二滑りブロック46が固定的に接続される。
【００１７】
有益的には、前記解砕組立部品は左右対称の、且つ前記第一スイベルブロック22の左右両側の端面に固定的に接続される第四固定ブロック28を含み、前記第四固定ブロック28が前記第一抜き穴27の上側における前記第一スイベルブロック22の左右両側の端面に設置され、前記第一スイベルブロック22が下側端面に近づく左右両側の端面には前記第四固定ブロック28と平行するように設置される第五固定ブロック20が対称で固定的に接続され、前記第五固定ブロック20の上端と前記第四固定ブロック28の下端の間に第一回転ブロック29が回転できるように係合接続され、前記第一回転ブロック29の周側の弧状の端面に解砕片31が固定的に接続され、前記解砕片31のうち前記第一スイベルブロック22に近接する一端と、前記第一抜き穴27のうち前記第二中空キャビティ24から離れている一端との開口が当接され、且つ前記第一回転ブロック29の回転中に、前記第一抜き穴27から露出する電子廃棄物を解砕でき、前記第一中空キャビティ21の内壁には環状の第六固定ブロック32が固定的に接続され、前記第六固定ブロック32が前記第一スイベルブロック22に近づく一側端面に前記解砕片31に係合されるねじ溝が設置され、前記ねじ溝は第一スイベルブロック22が第一回転ブロック29を駆動させて回転させる時、前記第一回転ブロック29を駆動させて自転させる。
【００１８】
有益的には、前記材料押し出し装置が前記第三中空キャビティ37の中に設置される第二スイベルブロック60を含み、前記第二スイベルブロック60の中に上向きの第一回転溝58が設置され、前記第一回転支柱55の下端が前記第一回転溝58に入り込み、前記第一回転溝58の左右両側の内壁に第一滑り溝57が連通設置され、前記第一回転支柱55の左右両側の端面には前記第一滑り溝57の中に入り込み且つ前記第一滑り溝57の中で上下にスライドできる第三滑りブロック56が固定的に接続され、前記第二スイベルブロック60の下側端面に第七固定ブロック59が固定的に接続され、前記第七固定ブロック59の前側端面に押しブロック61が固定的に接続される。
【００１９】
有益的には、前記第三中空キャビティ37の前後側端面にはそれぞれ前記第三中空キャビティ37に連通する第二滑り溝43が左右対称的に設置され、前記昇降ブロック47の前後側端面にはそれぞれ接続ブロック63を通じて前記第二滑り溝43の中に延伸して入り込み且つ前記第二滑り溝43のうち前記第三中空キャビティ37から離れる片側の内壁と360度に転がれるように係合接続するローラー64が接続される。
【００２０】
有益的には、前記第三中空キャビティ37の下側内壁に前記第三中空キャビティ37と外部を連通する出水パイプ76が設置され、前記出水パイプ76と前記第三中空キャビティ37が連通する処に通水バルブ75が設置され、前記通水バルブ75が開弁する時に前記第三中空キャビティ37の中の液体を放出することができる。
【００２１】
有益的には、前記第三中空キャビティ37のうち左側に近接する上側内壁に前記第二溝48をめぐって開口62が前後対称に設置され、前記開口62が酸分解された残渣を取り出すことに使われる。
【００２２】
有益的には、前記第三溝41の上端開口のところの内壁に隔離ブロック39が固定的に接続され、前記隔離ブロック39で前記張り線42を遮断して余りの酸溶液を引き出す。
【００２３】
有益的には、前記固定装置が前記装置主体36の左右両側端面の下端に固定的に接続される固定ブロック81を含み、前記固定ブロック81の中には上下に貫く固定ホール82が設置され、前記装置主体36が前記固定装置を通して固定することができ、更に本装置が作動過程においてスライドすることを防止する。
【００２４】
本装置が使用される時、初期状態において、前記昇降ブロック47が前記第三中空キャビティ37の最低位置にあり、更に完全に酸溶液に浸され、電子廃棄物の酸溶解を行う時、前記第一モーター34が起動され、同時に作業員が前記第二中空キャビティ24の中に電子廃棄物を入れ、この時、体積が小さい電子廃棄物が前記第一抜き穴27を通り過ぎて前記第一中空キャビティ21の中に落ち、更に前記第二抜き穴49を通り過ぎて前記第三中空キャビティ37の中に落ち且つ前記昇降ブロック47の上側端面に沈殿し、この過程において前記第一モーター34が前記第一スイベルブロック22を回転駆動させ、更に前記第一スイベルブロック22が前記第一回転ブロック29を動かして前記第一中空キャビティ21の中で前記第一モーター34の上端に動力が伝達できるように接続される回転軸をめぐって回らせ、同時に前記第一回転ブロック29が前記解砕片31により前記第六固定ブロック32に設置される前記ねじ溝のねじ山と係合して前記第一回転ブロック29を動かして自転させ、更に前記解砕片31の自転により前記第二中空キャビティ24の中にある電子廃棄物が解砕されて更に前記第三中空キャビティ37の中に落ち、暫く酸分解された後で前記第二モーター35が起動され、更に回転軸を通じて前記巻取リール53を動かして回転させ、この時、前記巻取リール53が前記張り線42を引っ張って、更に前記第一滑りブロック45を連動して上昇させ、更に前記昇降ブロック47を連動して上に移動させ、最終的に酸溶液から離脱させ、それと同時に、前記巻取リール53が前記第一回転支柱55を動かして回転させ、更に前記押しブロック61を動かして回転させ、前記昇降ブロック47が上に移動して前記第七固定ブロック59の下端面と当接する時、前記昇降ブロック47が上に向いて前記第二スイベルブロック60を押し、この過程において前記押しブロック61が酸分解された電子廃棄物を片隅に押せ、この時、作業員が前記開口62から酸分解された電子廃棄物を取り出し、それと同時に、前記第三中空キャビティ37の中にある酸溶液が飽和状態になる時、作業員が前記通水バルブ75をつけて前記第三中空キャビティ37の中にある酸溶液を吸い出す。
【００２５】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】平成31年1月19日(2019.1.19)
【手続補正１】
【補正対象書類名】特許請求の範囲
【補正対象項目名】請求項１
【補正方法】変更
【補正の内容】
【請求項１】
装置主体と、前記装置主体の中に設置される溶解装置及び前記装置主体に設置される固定装置を含み、前記装置主体の中に設置される溶解装置及び前記装置主体に固定装置が設置され、前記溶解装置が前記装置主体の上側端面の中部位置に固定的に接続される第一固定ブロックを含み、前記第一固定ブロックの中に第一中空キャビティが設置され、前記第一中空キャビティの下側内壁に第二固定ブロックが固定的に接続され、前記第二固定ブロックの上側端面に第一モーターが固定的に設置され、前記第一モーターの上端には回転軸を通じて上端が前記第一固定ブロックの上側端面外に伸び出、且つ前記第一中空キャビティの中で回転できる第一スイベルブロックが動力が伝達できるように係合接続され、前記第一スイベルブロックの中に上向きの第二中空キャビティが設置され、前記第二中空キャビティの左右両側の内壁には第一抜き穴が左右に貫通するように対称的に設置され、前記第一スイベルブロックの左右両側端面に解砕組立部品が固定的に接続され、前記第二固定ブロックの下側端面の中において前記第一モーターの下側には前記第二モーターが固定的に設置され、前記装置主体の中に第三中空キャビティが設置され、前記第三中空キャビティの中に上下スライドできる昇降ブロックが設置され、前記第三中空キャビティの上側内壁に第四中空キャビティが設置され、前記第四中空キャビティの中に巻取リールが回転できるように設置され、前記巻取リールの上端が回転軸を通じて前記第二モーターの下端に動力が伝達できるように係合接続され、前記巻取リールの下端に前記第三中空キャビティの中に入り込む第一回転支柱が固定的に接続され、前記第一回転支柱の上に材料押し出し装置が設置され、前記巻取リールに二本の張り線が巻き付かれ、前記第四中空キャビティの左右両側に前記第一中空キャビティと前記第三中空キャビティとを連通する第二抜き穴が上下に貫通するように設置され、前記第二抜き穴の左右両側の内壁の間に第三固定ブロックが固定的に接続され、前記第三固定ブロックの中に前記第四中空キャビティに連通される第一溝が設置され、前記第三中空キャビティのうち左右両側の内壁に近接する上側内壁の中には前記第四中空キャビティに関して対称し合う第五中空キャビティがそれぞれ設置され、前記第五中空キャビティのうち前記第四中空キャビティに近接する片側の内壁と前記第一溝との間に第二溝が連通しあって設置され、前記第三中空キャビティの左右両側の内壁に前記第五中空キャビティの下端に連通される第三溝が設置され、前記第三溝の中には上下にスライドできる第一滑りブロックが設置され、前記巻取リールに周設される二本の前記張り線のうち前記巻取リールから離れている一端がそれぞれ左右両側の前記第一溝及び前記第二溝を経由し、且つ前記第五中空キャビティの中に設置されるラインローラの案内によって左右対称の前記第一滑りブロックの上側端面に固定的に接続され、前記第三溝のうち前記第三中空キャビティに近接する片側の内壁の中には前記第三中空キャビティと前記第三溝とを連通する第四溝が設置され、前記昇降ブロックと前記第一滑りブロックとが相対する片側の端面の間には前記第四溝の中で上下にスライドできる第二滑りブロックが固定的に接続され、
前記解砕組立部品は左右対称の、且つ前記第一スイベルブロックの左右両側の端面に固定的に接続される第四固定ブロックを含み、前記第四固定ブロックが前記第一抜き穴の上側における前記第一スイベルブロックの左右両側の端面に設置され、前記第一スイベルブロックが下側端面に近づく左右両側の端面には前記第四固定ブロックと平行するように設置される第五固定ブロックが対称で固定的に接続され、前記第五固定ブロックの上端と前記第四固定ブロックの下端の間に第一回転ブロックが回転できるように係合接続され、前記第一回転ブロックの周側の弧状の端面に解砕片が固定的に接続され、前記解砕片のうち前記第一スイベルブロックに近接する一端と、前記第一抜き穴のうち前記第二中空キャビティから離れている一端との開口が当接され、且つ前記第一回転ブロックの回転中に、前記第一抜き穴から露出する電子廃棄物を解砕でき、前記第一中空キャビティの内壁には環状の第六固定ブロックが固定的に接続され、前記第六固定ブロックが前記第一スイベルブロックに近づく一側端面に前記解砕片に係合されるねじ溝が設置され、前記ねじ溝は第一スイベルブロックが第一回転ブロックを駆動させて回転させる時、前記第一回転ブロックを駆動させて自転させ、
前記材料押し出し装置が前記第三中空キャビティの中に設置される第二スイベルブロックを含み、前記第二スイベルブロックの中に上向きの第一回転溝が設置され、前記第一回転支柱の下端が前記第一回転溝に入り込み、前記第一回転溝の左右両側の内壁に第一滑り溝が連通設置され、前記第一回転支柱の左右両側の端面には前記第一滑り溝の中に入り込み且つ前記第一滑り溝の中で上下にスライドできる第三滑りブロックが固定的に接続され、前記第二スイベルブロックの下側端面に第七固定ブロックが固定的に接続され、前記第七固定ブロックの前側端面に押しブロックが固定的に接続され、
前記第三中空キャビティの前後側端面にはそれぞれ前記第三中空キャビティに連通する第二滑り溝が左右対称的に設置され、前記昇降ブロックの前後側端面にはそれぞれ接続ブロックを通じて前記第二滑り溝の中に延伸して入り込み且つ前記第二滑り溝のうち前記第三中空キャビティから離れる片側の内壁と360度に転がれるように係合接続するローラーが接続され、
前記第三中空キャビティの下側内壁に前記第三中空キャビティと外部を連通する出水パイプが設置され、前記出水パイプと前記第三中空キャビティが連通する処に通水バルブが設置され、前記通水バルブが開弁する時に前記第三中空キャビティの中の液体を放出することができ、
前記第三中空キャビティのうち左側に近接する上側内壁に前記第二溝をめぐって開口が前後対称に設置され、前記開口が酸分解された残渣を取り出すことに使われ、
前記第三溝の上端開口のところの内壁に隔離ブロックが固定的に接続され、前記隔離ブロックで前記張り線を遮断して余りの酸溶液を引き出し、
前記固定装置が前記装置主体の左右両側端面の下端に固定的に接続される固定ブロックを含み、前記固定ブロックの中には上下に貫く固定ホールが設置され、前記装置主体が前記固定装置を通して固定することができ、更に本装置が作動過程においてスライドすることを防止することを特徴とする環境保護型の電子廃棄物処理装置。
【手続補正２】
【補正対象書類名】明細書
【補正対象項目名】全文
【補正方法】変更
【補正の内容】
【発明の詳細な説明】
【技術分野】
【０００１】
本発明は電子廃棄物の処理分野に関し、具体的には、電子廃棄物処理装置に関する。
【背景技術】
【０００２】
現在は電子情報化時代であり、我々の生活に様々な電子商品が溢れていて、電子商品が暫く使用されたら、廃棄処理に直面して、廃棄された電子商品にまだ使える部品を着脱して回収し、残りの電子廃棄物の処理が面倒で、思うままに埋めて捨てると、環境汚染を招くこともあり、本発明は一回着脱される電子廃棄物を処理して、中に含まれる金属成分を回収するにより、浪費と汚染を減少し、環境保護型の電子廃棄物の処理装置が確実に必要である。
【先行技術文献】
【特許文献】
【０００３】
【特許文献１】中国特許出願公開第102285738号明細書
【発明の概要】
【発明が解決しようとする課題】
【０００４】
本発明の目的は上記の背景技術に提出された問題を解決するための電子廃棄物処理装置を提供することにある。
【課題を解決するための手段】
【０００５】
上記の目的を実現するために、本発明は、装置主体と、前記装置主体の中に設置される溶解装置及び前記装置主体に設置される固定装置を含み、前記溶解装置が前記装置主体の上側端面の中部位置に固定的に接続される第一固定ブロックを含み、前記第一固定ブロックの中に第一中空キャビティが設置され、前記第一中空キャビティの下側内壁に第二固定ブロックが固定的に接続され、前記第二固定ブロックの上側端面に第一モーターが固定的に設置され、前記第一モーターの上端には回転軸を通じて上端が前記第一固定ブロックの上側端面外に伸び出、且つ前記第一中空キャビティの中で回転できる第一スイベルブロックが動力が伝達できるように係合接続され、前記第一スイベルブロックの中に上向きの第二中空キャビティが設置され、前記第二中空キャビティの左右両側の内壁には第一抜き穴が左右に貫通するように対称的に設置され、前記第一スイベルブロックの左右両側端面に解砕組立部品が固定的に接続され、前記第二固定ブロックの下側端面の中において前記第一モーターの下側には前記第二モーターが固定的に設置され、前記装置主体の中に第三中空キャビティが設置され、前記第三中空キャビティの中に上下スライドできる昇降ブロックが設置され、前記第三中空キャビティの上側内壁に第四中空キャビティが設置され、前記第四中空キャビティの中に巻取リールが回転できるように設置され、前記巻取リールの上端が回転軸を通じて前記第二モーターの下端に動力が伝達できるように係合接続され、前記巻取リールの下端に前記第三中空キャビティの中に入り込む第一回転支柱が固定的に接続され、前記第一回転支柱の上に材料押し出し装置が設置され、前記巻取リールに二本の張り線が巻き付かれ、前記第四中空キャビティの左右両側に前記第一中空キャビティと前記第三中空キャビティとを連通する第二抜き穴が上下に貫通するように設置され、前記第二抜き穴の左右両側の内壁の間に第三固定ブロックが固定的に接続され、前記第三固定ブロックの中に前記第四中空キャビティに連通される第一溝が設置され、前記第三中空キャビティのうち左右両側の内壁に近接する上側内壁の中には前記第四中空キャビティに関して対称し合う第五中空キャビティがそれぞれ設置され、前記第五中空キャビティのうち前記第四中空キャビティに近接する片側の内壁と前記第一溝との間に第二溝が連通しあって設置され、前記第三中空キャビティの左右両側の内壁に前記第五中空キャビティの下端に連通される第三溝が設置され、前記第三溝の中には上下にスライドできる第一滑りブロックが設置され、前記巻取リールに周設される二本の前記張り線のうち前記巻取リールから離れている一端がそれぞれ左右両側の前記第一溝及び前記第二溝を経由し、且つ前記第五中空キャビティの中に設置されるラインローラの案内によって左右対称の前記第一滑りブロックの上側端面に固定的に接続され、前記第三溝のうち前記第三中空キャビティに近接する片側の内壁の中には前記第三中空キャビティと前記第三溝とを連通する第四溝が設置され、前記昇降ブロックと前記第一滑りブロックとが相対する片側の端面の間には前記第四溝の中で上下にスライドできる第二滑りブロックが固定的に接続される。
【０００６】
優選されたプランとして、前記解砕組立部品は左右対称の、且つ前記第一スイベルブロックの左右両側の端面に固定的に接続される第四固定ブロックを含み、前記第四固定ブロックが前記第一抜き穴の上側における前記第一スイベルブロックの左右両側の端面に設置され、前記第一スイベルブロックが下側端面に近づく左右両側の端面には前記第四固定ブロックと平行するように設置される第五固定ブロックが対称で固定的に接続され、前記第五固定ブロックの上端と前記第四固定ブロックの下端の間に第一回転ブロックが回転できるように係合接続され、前記第一回転ブロックの周側の弧状の端面に解砕片が固定的に接続され、前記解砕片のうち前記第一スイベルブロックに近接する一端と、前記第一抜き穴のうち前記第二中空キャビティから離れている一端との開口が当接され、且つ前記第一回転ブロックの回転中に、前記第一抜き穴から露出する電子廃棄物を解砕でき、前記第一中空キャビティの内壁には環状の第六固定ブロックが固定的に接続され、前記第六固定ブロックが前記第一スイベルブロックに近づく一側端面に前記解砕片に係合されるねじ溝が設置され、前記ねじ溝は第一スイベルブロックが第一回転ブロックを駆動させて回転させる時、前記第一回転ブロックを駆動させて自転させる。
【０００７】
優選されたプランとして、前記材料押し出し装置が前記第三中空キャビティの中に設置される第二スイベルブロックを含み、前記第二スイベルブロックの中に上向きの第一回転溝が設置され、前記第一回転支柱の下端が前記第一回転溝に入り込み、前記第一回転溝の左右両側の内壁に第一滑り溝が連通設置され、前記第一回転支柱の左右両側の端面には前記第一滑り溝の中に入り込み且つ前記第一滑り溝の中で上下にスライドできる第三滑りブロックが固定的に接続され、前記第二スイベルブロックの下側端面に第七固定ブロックが固定的に接続され、前記第七固定ブロックの前側端面に押しブロックが固定的に接続される。
【０００８】
優選されたプランとして、前記第三中空キャビティの前後側端面にはそれぞれ前記第三中空キャビティに連通する第二滑り溝が左右対称的に設置され、前記昇降ブロックの前後側端面にはそれぞれ接続ブロックを通じて前記第二滑り溝の中に延伸して入り込み且つ前記第二滑り溝のうち前記第三中空キャビティから離れる片側の内壁と360度に転がれるように係合接続するローラーが接続される。
【０００９】
優選されたプランとして、前記第三中空キャビティの下側内壁に前記第三中空キャビティと外部を連通する出水パイプが設置され、前記出水パイプと前記第三中空キャビティが連通する処に通水バルブが設置され、前記通水バルブが開弁する時に前記第三中空キャビティの中の液体を放出することができる。
【００１０】
優選されたプランとして、前記第三中空キャビティのうち左側に近接する上側内壁に前記第二溝をめぐって開口が前後対称に設置され、前記開口が酸分解された残渣を取り出すことに使われる。
【００１１】
優選されたプランとして、前記第三溝の上端開口のところの内壁に隔離ブロックが固定的に接続され、前記隔離ブロックで前記張り線を遮断して余りの酸溶液を引き出す。
【００１２】
優選されたプランとして、前記固定装置が前記装置主体の左右両側端面の下端に固定的に接続される固定ブロックを含み、前記固定ブロックの中には上下に貫く固定ホールが設置され、前記装置主体が前記固定装置を通して固定することができ、更に本装置が作動過程においてスライドすることを防止する。
【発明の効果】
【００１３】
本発明の有益効果は、本発明の構造が簡単で、操作も便利である。初期状態において、昇降ブロックが第三中空キャビティの最低位置にあり、更に完全に酸溶液に浸され、電子廃棄物の酸溶解を行う時、第一モーターが起動され、同時に作業員が第二中空キャビティの中に電子廃棄物を入れ、この時、体積が小さい電子廃棄物が第一抜き穴を通り過ぎて第一中空キャビティの中に落ち、更に第二抜き穴を通り過ぎて第三中空キャビティの中に落ち且つ昇降ブロックの上側端面に沈殿し、この過程において第一モーターが第一スイベルブロックを回転駆動させ、更に第一スイベルブロックが第一回転ブロックを動かして第一中空キャビティの中で第一モーターの上端に動力が伝達できるように接続される回転軸をめぐって回らせ、同時に第一回転ブロックが解砕片により第六固定ブロックに設置されるねじ溝のねじ山と係合して第一回転ブロックを動かして自転させ、更に解砕片の自転により第二中空キャビティの中にある電子廃棄物が解砕されて更に第三中空キャビティの中に落ち、暫く酸分解された後で第二モーターが起動され、更に回転軸を通じて巻取リールを動かして回転させ、この時、巻取リールが張り線を引っ張って、更に第一滑りブロックを連動して上昇させ、更に昇降ブロックを連動して上に移動させ、最終的に酸溶液から離脱させ、それと同時に、巻取リールが第一回転支柱を動かして回転させ、更に押しブロックを動かして回転させ、昇降ブロックが上に移動して第七固定ブロックの下端面と当接する時、昇降ブロックが上に向いて第二スイベルブロックを押し、この過程において押しブロックが酸分解された電子廃棄物を片隅に押せ、この時、作業員が開口から酸分解された電子廃棄物を取り出し、それと同時に、第三中空キャビティの中にある酸溶液が飽和状態になる時、作業員が通水バルブをつけて第三中空キャビティの中にある酸溶液を吸い出し、廃棄された電子廃棄物の中に大量の金属成分が含まれ、電子廃棄物に含まれる金属成分の含有量が鉱石より高くて、回収価値も割に高くて、本装置で電子廃棄物に含まれる金属成分を酸分解してから回収して、実用価値が割に高くて、勧める値打ちがある。
【図面の簡単な説明】
【００１４】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１５】
【図１】電子廃棄物処理装置の内部構造模式図である。
【図２】図1のA-A方向の構造模式図である。
【図３】本装置の中にある第一回転ブロックの構造模式図である。
【発明を実施するための形態】
【００１６】
（下記に図1〜３を合わせて本発明について詳しく説明する。意思疎通の便利を図った、下記に記載した上下左右前後方向は図1自身の投影関係の上下左右前後方向と一致している）図1-3が示すように、本発明の電子廃棄物処理装置は装置主体36と、前記装置主体36の中に設置される溶解装置及び前記装置主体36に設置される固定装置を含み、前記装置主体36の中に設置される溶解装置及び前記装置主体36に固定装置が設置され、前記溶解装置が前記装置主体36の上側端面の中部位置に固定的に接続される第一固定ブロック11を含み、前記第一固定ブロック11の中に第一中空キャビティ21が設置され、前記第一中空キャビティ21の下側内壁に第二固定ブロック33が固定的に接続され、前記第二固定ブロック33の上側端面に第一モーター34が固定的に設置され、前記第一モーター34の上端には回転軸を通じて上端が前記第一固定ブロック11の上側端面外に伸び出、且つ前記第一中空キャビティ21の中で回転できる第一スイベルブロック22が動力が伝達できるように係合接続され、前記第一スイベルブロック22の中に上向きの第二中空キャビティ24が設置され、前記第二中空キャビティ24の左右両側の内壁には第一抜き穴27が左右に貫通するように対称的に設置され、前記第一スイベルブロック22の左右両側端面に解砕組立部品が固定的に接続され、前記第二固定ブロック33の下側端面の中において前記第一モーター34の下側には前記第二モーター35が固定的に設置され、前記装置主体36の中に第三中空キャビティ37が設置され、前記第三中空キャビティ37の中に上下スライドできる昇降ブロック47が設置され、前記第三中空キャビティ37の上側内壁に第四中空キャビティ54が設置され、前記第四中空キャビティ54の中に巻取リール53が回転できるように設置され、前記巻取リール53の上端が回転軸を通じて前記第二モーター35の下端に動力が伝達できるように係合接続され、前記巻取リール53の下端に前記第三中空キャビティ37の中に入り込む第一回転支柱55が固定的に接続され、前記第一回転支柱55の上に材料押し出し装置が設置され、前記巻取リール53に二本の張り線42が巻き付かれ、前記第四中空キャビティ54の左右両側に前記第一中空キャビティ21と前記第三中空キャビティ37とを連通する第二抜き穴49が上下に貫通するように設置され、前記第二抜き穴49の左右両側の内壁の間に第三固定ブロック51が固定的に接続され、前記第三固定ブロック51の中に前記第四中空キャビティ54に連通される第一溝52が設置され、前記第三中空キャビティ37のうち左右両側の内壁に近接する上側内壁の中には前記第四中空キャビティ54に関して対称し合う第五中空キャビティ38がそれぞれ設置され、前記第五中空キャビティ38のうち前記第四中空キャビティ54に近接する片側の内壁と前記第一溝52との間に第二溝48が連通しあって設置され、前記第三中空キャビティ37の左右両側の内壁に前記第五中空キャビティ38の下端に連通される第三溝41が設置され、前記第三溝41の中には上下にスライドできる第一滑りブロック45が設置され、前記巻取リール53に周設される二本の前記張り線42のうち前記巻取リール53から離れている一端がそれぞれ左右両側の前記第一溝52及び前記第二溝48を経由し、且つ前記第五中空キャビティ38の中に設置されるラインローラの案内によって左右対称の前記第一滑りブロック45の上側端面に固定的に接続され、前記第三溝41のうち前記第三中空キャビティ37に近接する片側の内壁の中には前記第三中空キャビティ37と前記第三溝41とを連通する第四溝44が設置され、前記昇降ブロック47と前記第一滑りブロック45とが相対する片側の端面の間には前記第四溝44の中で上下にスライドできる第二滑りブロック46が固定的に接続される。
【００１７】
有益的には、前記解砕組立部品は左右対称の、且つ前記第一スイベルブロック22の左右両側の端面に固定的に接続される第四固定ブロック28を含み、前記第四固定ブロック28が前記第一抜き穴27の上側における前記第一スイベルブロック22の左右両側の端面に設置され、前記第一スイベルブロック22が下側端面に近づく左右両側の端面には前記第四固定ブロック28と平行するように設置される第五固定ブロック20が対称で固定的に接続され、前記第五固定ブロック20の上端と前記第四固定ブロック28の下端の間に第一回転ブロック29が回転できるように係合接続され、前記第一回転ブロック29の周側の弧状の端面に解砕片31が固定的に接続され、前記解砕片31のうち前記第一スイベルブロック22に近接する一端と、前記第一抜き穴27のうち前記第二中空キャビティ24から離れている一端との開口が当接され、且つ前記第一回転ブロック29の回転中に、前記第一抜き穴27から露出する電子廃棄物を解砕でき、前記第一中空キャビティ21の内壁には環状の第六固定ブロック32が固定的に接続され、前記第六固定ブロック32が前記第一スイベルブロック22に近づく一側端面に前記解砕片31に係合されるねじ溝が設置され、前記ねじ溝は第一スイベルブロック22が第一回転ブロック29を駆動させて回転させる時、前記第一回転ブロック29を駆動させて自転させる。
【００１８】
有益的には、前記材料押し出し装置が前記第三中空キャビティ37の中に設置される第二スイベルブロック60を含み、前記第二スイベルブロック60の中に上向きの第一回転溝58が設置され、前記第一回転支柱55の下端が前記第一回転溝58に入り込み、前記第一回転溝58の左右両側の内壁に第一滑り溝57が連通設置され、前記第一回転支柱55の左右両側の端面には前記第一滑り溝57の中に入り込み且つ前記第一滑り溝57の中で上下にスライドできる第三滑りブロック56が固定的に接続され、前記第二スイベルブロック60の下側端面に第七固定ブロック59が固定的に接続され、前記第七固定ブロック59の前側端面に押しブロック61が固定的に接続される。
【００１９】
有益的には、前記第三中空キャビティ37の前後側端面にはそれぞれ前記第三中空キャビティ37に連通する第二滑り溝43が左右対称的に設置され、前記昇降ブロック47の前後側端面にはそれぞれ接続ブロック63を通じて前記第二滑り溝43の中に延伸して入り込み且つ前記第二滑り溝43のうち前記第三中空キャビティ37から離れる片側の内壁と360度に転がれるように係合接続するローラー64が接続される。
【００２０】
有益的には、前記第三中空キャビティ37の下側内壁に前記第三中空キャビティ37と外部を連通する出水パイプ76が設置され、前記出水パイプ76と前記第三中空キャビティ37が連通する処に通水バルブ75が設置され、前記通水バルブ75が開弁する時に前記第三中空キャビティ37の中の液体を放出することができる。
【００２１】
有益的には、前記第三中空キャビティ37のうち左側に近接する上側内壁に前記第二溝48をめぐって開口62が前後対称に設置され、前記開口62が酸分解された残渣を取り出すことに使われる。
【００２２】
有益的には、前記第三溝41の上端開口のところの内壁に隔離ブロック39が固定的に接続され、前記隔離ブロック39で前記張り線42を遮断して余りの酸溶液を引き出す。
【００２３】
有益的には、前記固定装置が前記装置主体36の左右両側端面の下端に固定的に接続される固定ブロック81を含み、前記固定ブロック81の中には上下に貫く固定ホール82が設置され、前記装置主体36が前記固定装置を通して固定することができ、更に本装置が作動過程においてスライドすることを防止する。
【００２４】
本装置が使用される時、初期状態において、前記昇降ブロック47が前記第三中空キャビティ37の最低位置にあり、更に完全に酸溶液に浸され、電子廃棄物の酸溶解を行う時、前記第一モーター34が起動され、同時に作業員が前記第二中空キャビティ24の中に電子廃棄物を入れ、この時、体積が小さい電子廃棄物が前記第一抜き穴27を通り過ぎて前記第一中空キャビティ21の中に落ち、更に前記第二抜き穴49を通り過ぎて前記第三中空キャビティ37の中に落ち且つ前記昇降ブロック47の上側端面に沈殿し、この過程において前記第一モーター34が前記第一スイベルブロック22を回転駆動させ、更に前記第一スイベルブロック22が前記第一回転ブロック29を動かして前記第一中空キャビティ21の中で前記第一モーター34の上端に動力が伝達できるように接続される回転軸をめぐって回らせ、同時に前記第一回転ブロック29が前記解砕片31により前記第六固定ブロック32に設置される前記ねじ溝のねじ山と係合して前記第一回転ブロック29を動かして自転させ、更に前記解砕片31の自転により前記第二中空キャビティ24の中にある電子廃棄物が解砕されて更に前記第三中空キャビティ37の中に落ち、暫く酸分解された後で前記第二モーター35が起動され、更に回転軸を通じて前記巻取リール53を動かして回転させ、この時、前記巻取リール53が前記張り線42を引っ張って、更に前記第一滑りブロック45を連動して上昇させ、更に前記昇降ブロック47を連動して上に移動させ、最終的に酸溶液から離脱させ、それと同時に、前記巻取リール53が前記第一回転支柱55を動かして回転させ、更に前記押しブロック61を動かして回転させ、前記昇降ブロック47が上に移動して前記第七固定ブロック59の下端面と当接する時、前記昇降ブロック47が上に向いて前記第二スイベルブロック60を押し、この過程において前記押しブロック61が酸分解された電子廃棄物を片隅に押せ、この時、作業員が前記開口62から酸分解された電子廃棄物を取り出し、それと同時に、前記第三中空キャビティ37の中にある酸溶液が飽和状態になる時、作業員が前記通水バルブ75をつけて前記第三中空キャビティ37の中にある酸溶液を吸い出す。
【００２５】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和1年5月3日(2019.5.3)
【手続補正１】
【補正対象書類名】特許請求の範囲
【補正対象項目名】請求項１
【補正方法】変更
【補正の内容】
【請求項１】
装置主体と、前記装置主体の中に設置される溶解装置及び前記装置主体に設置される固定装置を含み、前記装置主体の中に設置される溶解装置及び前記装置主体に固定装置が設置され、前記溶解装置が前記装置主体の上側端面の中部位置に固定的に接続される第一固定ブロックを含み、前記第一固定ブロックの中に第一中空キャビティが設置され、前記第一中空キャビティの下側内壁に第二固定ブロックが固定的に接続され、前記第二固定ブロックの上側端面に第一モーターが固定的に設置され、前記第一モーターの上端には回転軸を通じて上端が前記第一固定ブロックの上側端面外に伸び出、且つ前記第一中空キャビティの中で回転できる第一スイベルブロックが動力が伝達できるように係合接続され、前記第一スイベルブロックの中に上向きの第二中空キャビティが設置され、前記第二中空キャビティの左右両側の内壁には第一抜き穴が左右に貫通するように対称的に設置され、前記第一スイベルブロックの左右両側端面に解砕組立部品が固定的に接続され、前記第二固定ブロックの下側端面の中において前記第一モーターの下側には第二モーターが固定的に設置され、前記装置主体の中に第三中空キャビティが設置され、前記第三中空キャビティの中に上下スライドできる昇降ブロックが設置され、前記第三中空キャビティの上側内壁に第四中空キャビティが設置され、前記第四中空キャビティの中に巻取リールが回転できるように設置され、前記巻取リールの上端が回転軸を通じて前記第二モーターの下端に動力が伝達できるように係合接続され、前記巻取リールの下端に前記第三中空キャビティの中に入り込む第一回転支柱が固定的に接続され、前記第一回転支柱の上に材料押し出し装置が設置され、前記巻取リールに二本の張り線が巻き付かれ、前記第四中空キャビティの左右両側に前記第一中空キャビティと前記第三中空キャビティとを連通する第二抜き穴が上下に貫通するように設置され、前記第二抜き穴の左右両側の内壁の間に第三固定ブロックが固定的に接続され、前記第三固定ブロックの中に前記第四中空キャビティに連通される第一溝が設置され、前記第三中空キャビティのうち左右両側の内壁に近接する上側内壁の中には前記第四中空キャビティに関して対称し合う第五中空キャビティがそれぞれ設置され、前記第五中空キャビティのうち前記第四中空キャビティに近接する片側の内壁と前記第一溝との間に第二溝が連通しあって設置され、前記第三中空キャビティの左右両側の内壁に前記第五中空キャビティの下端に連通される第三溝が設置され、前記第三溝の中には上下にスライドできる第一滑りブロックが設置され、前記巻取リールに周設される二本の前記張り線のうち前記巻取リールから離れている一端がそれぞれ左右両側の前記第一溝及び前記第二溝を経由し、且つ前記第五中空キャビティの中に設置されるラインローラの案内によって左右対称の前記第一滑りブロックの上側端面に固定的に接続され、前記第三溝のうち前記第三中空キャビティに近接する片側の内壁の中には前記第三中空キャビティと前記第三溝とを連通する第四溝が設置され、前記昇降ブロックと前記第一滑りブロックとが相対する片側の端面の間には前記第四溝の中で上下にスライドできる第二滑りブロックが固定的に接続され、
前記解砕組立部品は左右対称の、且つ前記第一スイベルブロックの左右両側の端面に固定的に接続される第四固定ブロックを含み、前記第四固定ブロックが前記第一抜き穴の上側における前記第一スイベルブロックの左右両側の端面に設置され、前記第一スイベルブロックが下側端面に近づく左右両側の端面には前記第四固定ブロックと平行するように設置される第五固定ブロックが対称で固定的に接続され、前記第五固定ブロックの上端と前記第四固定ブロックの下端の間に第一回転ブロックが回転できるように係合接続され、前記第一回転ブロックの周側の弧状の端面に解砕片が固定的に接続され、前記解砕片のうち前記第一スイベルブロックに近接する一端と、前記第一抜き穴のうち前記第二中空キャビティから離れている一端との開口が当接され、且つ前記第一回転ブロックの回転中に、前記第一抜き穴から露出する電子廃棄物を解砕でき、前記第一中空キャビティの内壁には環状の第六固定ブロックが固定的に接続され、前記第六固定ブロックが前記第一スイベルブロックに近づく一側端面に前記解砕片に係合されるねじ溝が設置され、前記ねじ溝は第一スイベルブロックが第一回転ブロックを駆動させて回転させる時、前記第一回転ブロックを駆動させて自転させ、
前記材料押し出し装置が前記第三中空キャビティの中に設置される第二スイベルブロックを含み、前記第二スイベルブロックの中に上向きの第一回転溝が設置され、前記第一回転支柱の下端が前記第一回転溝に入り込み、前記第一回転溝の左右両側の内壁に第一滑り溝が連通設置され、前記第一回転支柱の左右両側の端面には前記第一滑り溝の中に入り込み且つ前記第一滑り溝の中で上下にスライドできる第三滑りブロックが固定的に接続され、前記第二スイベルブロックの下側端面に第七固定ブロックが固定的に接続され、前記第七固定ブロックの前側端面に押しブロックが固定的に接続され、
前記第三中空キャビティの前後側端面にはそれぞれ前記第三中空キャビティに連通する第二滑り溝が左右対称的に設置され、前記昇降ブロックの前後側端面にはそれぞれ接続ブロックを通じて前記第二滑り溝の中に延伸して入り込み且つ前記第二滑り溝のうち前記第三中空キャビティから離れる片側の内壁と３６０度に転がれるように係合接続するローラーが接続され、
前記第三中空キャビティの下側内壁に前記第三中空キャビティと外部を連通する出水パイプが設置され、前記出水パイプと前記第三中空キャビティが連通する処に通水バルブが設置され、前記通水バルブが開弁する時に前記第三中空キャビティの中の液体を放出し、
前記第三中空キャビティのうち左側に近接する上側内壁に前記第二溝をめぐって開口が前後対称に設置され、前記開口が酸分解された残渣を取り出すことに使われ、
前記第三溝の上端開口のところの内壁に隔離ブロックが固定的に接続され、前記隔離ブロックで前記張り線を遮断して余りの酸溶液を引き出し、
前記固定装置が前記装置主体の左右両側端面の下端に固定的に接続される固定ブロックを含み、前記固定ブロックの中には上下に貫く固定ホールが設置され、前記装置主体が前記固定装置を通して固定することができ、更に本装置が作動過程においてスライドすることを防止することを特徴とする環境保護型の電子廃棄物処理装置。
【手続補正２】
【補正対象書類名】明細書
【補正対象項目名】全文
【補正方法】変更
【補正の内容】
【発明の詳細な説明】
【技術分野】
【０００１】
本発明は電子廃棄物の処理分野に関し、具体的には、電子廃棄物処理装置に関する。
【背景技術】
【０００２】
現在は電子情報化時代であり、我々の生活に様々な電子商品が溢れていて、電子商品が暫く使用されたら、廃棄処理に直面して、廃棄された電子商品にまだ使える部品を着脱して回収し、残りの電子廃棄物の処理が面倒で、思うままに埋めて捨てると、環境汚染を招くこともあり、本発明は一回着脱される電子廃棄物を処理して、中に含まれる金属成分を回収するにより、浪費と汚染を減少し、環境保護型の電子廃棄物の処理装置が確実に必要である。
【先行技術文献】
【特許文献】
【０００３】
【特許文献１】中国特許出願公開第１０２２８５７３８号明細書
【発明の概要】
【発明が解決しようとする課題】
【０００４】
本発明の目的は上記の背景技術に提出された問題を解決するための電子廃棄物処理装置を提供することにある。
【課題を解決するための手段】
【０００５】
上記の目的を実現するために、本発明は、装置主体と、前記装置主体の中に設置される溶解装置及び前記装置主体に設置される固定装置を含み、前記溶解装置が前記装置主体の上側端面の中部位置に固定的に接続される第一固定ブロックを含み、前記第一固定ブロックの中に第一中空キャビティが設置され、前記第一中空キャビティの下側内壁に第二固定ブロックが固定的に接続され、前記第二固定ブロックの上側端面に第一モーターが固定的に設置され、前記第一モーターの上端には回転軸を通じて上端が前記第一固定ブロックの上側端面外に伸び出、且つ前記第一中空キャビティの中で回転できる第一スイベルブロックが動力が伝達できるように係合接続され、前記第一スイベルブロックの中に上向きの第二中空キャビティが設置され、前記第二中空キャビティの左右両側の内壁には第一抜き穴が左右に貫通するように対称的に設置され、前記第一スイベルブロックの左右両側端面に解砕組立部品が固定的に接続され、前記第二固定ブロックの下側端面の中において前記第一モーターの下側には第二モーターが固定的に設置され、前記装置主体の中に第三中空キャビティが設置され、前記第三中空キャビティの中に上下スライドできる昇降ブロックが設置され、前記第三中空キャビティの上側内壁に第四中空キャビティが設置され、前記第四中空キャビティの中に巻取リールが回転できるように設置され、前記巻取リールの上端が回転軸を通じて前記第二モーターの下端に動力が伝達できるように係合接続され、前記巻取リールの下端に前記第三中空キャビティの中に入り込む第一回転支柱が固定的に接続され、前記第一回転支柱の上に材料押し出し装置が設置され、前記巻取リールに二本の張り線が巻き付かれ、前記第四中空キャビティの左右両側に前記第一中空キャビティと前記第三中空キャビティとを連通する第二抜き穴が上下に貫通するように設置され、前記第二抜き穴の左右両側の内壁の間に第三固定ブロックが固定的に接続され、前記第三固定ブロックの中に前記第四中空キャビティに連通される第一溝が設置され、前記第三中空キャビティのうち左右両側の内壁に近接する上側内壁の中には前記第四中空キャビティに関して対称し合う第五中空キャビティがそれぞれ設置され、前記第五中空キャビティのうち前記第四中空キャビティに近接する片側の内壁と前記第一溝との間に第二溝が連通しあって設置され、前記第三中空キャビティの左右両側の内壁に前記第五中空キャビティの下端に連通される第三溝が設置され、前記第三溝の中には上下にスライドできる第一滑りブロックが設置され、前記巻取リールに周設される二本の前記張り線のうち前記巻取リールから離れている一端がそれぞれ左右両側の前記第一溝及び前記第二溝を経由し、且つ前記第五中空キャビティの中に設置されるラインローラの案内によって左右対称の前記第一滑りブロックの上側端面に固定的に接続され、前記第三溝のうち前記第三中空キャビティに近接する片側の内壁の中には前記第三中空キャビティと前記第三溝とを連通する第四溝が設置され、前記昇降ブロックと前記第一滑りブロックとが相対する片側の端面の間には前記第四溝の中で上下にスライドできる第二滑りブロックが固定的に接続される。
【０００６】
優選されたプランとして、前記解砕組立部品は左右対称の、且つ前記第一スイベルブロックの左右両側の端面に固定的に接続される第四固定ブロックを含み、前記第四固定ブロックが前記第一抜き穴の上側における前記第一スイベルブロックの左右両側の端面に設置され、前記第一スイベルブロックが下側端面に近づく左右両側の端面には前記第四固定ブロックと平行するように設置される第五固定ブロックが対称で固定的に接続され、前記第五固定ブロックの上端と前記第四固定ブロックの下端の間に第一回転ブロックが回転できるように係合接続され、前記第一回転ブロックの周側の弧状の端面に解砕片が固定的に接続され、前記解砕片のうち前記第一スイベルブロックに近接する一端と、前記第一抜き穴のうち前記第二中空キャビティから離れている一端との開口が当接され、且つ前記第一回転ブロックの回転中に、前記第一抜き穴から露出する電子廃棄物を解砕でき、前記第一中空キャビティの内壁には環状の第六固定ブロックが固定的に接続され、前記第六固定ブロックが前記第一スイベルブロックに近づく一側端面に前記解砕片に係合されるねじ溝が設置され、前記ねじ溝は第一スイベルブロックが第一回転ブロックを駆動させて回転させる時、前記第一回転ブロックを駆動させて自転させる。
【０００７】
優選されたプランとして、前記材料押し出し装置が前記第三中空キャビティの中に設置される第二スイベルブロックを含み、前記第二スイベルブロックの中に上向きの第一回転溝が設置され、前記第一回転支柱の下端が前記第一回転溝に入り込み、前記第一回転溝の左右両側の内壁に第一滑り溝が連通設置され、前記第一回転支柱の左右両側の端面には前記第一滑り溝の中に入り込み且つ前記第一滑り溝の中で上下にスライドできる第三滑りブロックが固定的に接続され、前記第二スイベルブロックの下側端面に第七固定ブロックが固定的に接続され、前記第七固定ブロックの前側端面に押しブロックが固定的に接続される。
【０００８】
優選されたプランとして、前記第三中空キャビティの前後側端面にはそれぞれ前記第三中空キャビティに連通する第二滑り溝が左右対称的に設置され、前記昇降ブロックの前後側端面にはそれぞれ接続ブロックを通じて前記第二滑り溝の中に延伸して入り込み且つ前記第二滑り溝のうち前記第三中空キャビティから離れる片側の内壁と３６０度に転がれるように係合接続するローラーが接続される。
【０００９】
優選されたプランとして、前記第三中空キャビティの下側内壁に前記第三中空キャビティと外部を連通する出水パイプが設置され、前記出水パイプと前記第三中空キャビティが連通する処に通水バルブが設置され、前記通水バルブが開弁する時に前記第三中空キャビティの中の液体を放出することができる。
【００１０】
優選されたプランとして、前記第三中空キャビティのうち左側に近接する上側内壁に前記第二溝をめぐって開口が前後対称に設置され、前記開口が酸分解された残渣を取り出すことに使われる。
【００１１】
優選されたプランとして、前記第三溝の上端開口のところの内壁に隔離ブロックが固定的に接続され、前記隔離ブロックで前記張り線を遮断して余りの酸溶液を引き出す。
【００１２】
優選されたプランとして、前記固定装置が前記装置主体の左右両側端面の下端に固定的に接続される固定ブロックを含み、前記固定ブロックの中には上下に貫く固定ホールが設置され、前記装置主体が前記固定装置を通して固定することができ、更に本装置が作動過程においてスライドすることを防止する。
【発明の効果】
【００１３】
本発明の有益効果は、本発明の構造が簡単で、操作も便利である。初期状態において、昇降ブロックが第三中空キャビティの最低位置にあり、更に完全に酸溶液に浸され、電子廃棄物の酸溶解を行う時、第一モーターが起動され、同時に作業員が第二中空キャビティの中に電子廃棄物を入れ、この時、体積が小さい電子廃棄物が第一抜き穴を通り過ぎて第一中空キャビティの中に落ち、更に第二抜き穴を通り過ぎて第三中空キャビティの中に落ち且つ昇降ブロックの上側端面に沈殿し、この過程において第一モーターが第一スイベルブロックを回転駆動させ、更に第一スイベルブロックが第一回転ブロックを動かして第一中空キャビティの中で第一モーターの上端に動力が伝達できるように接続される回転軸をめぐって回らせ、同時に第一回転ブロックが解砕片により第六固定ブロックに設置されるねじ溝のねじ山と係合して第一回転ブロックを動かして自転させ、更に解砕片の自転により第二中空キャビティの中にある電子廃棄物が解砕されて更に第三中空キャビティの中に落ち、暫く酸分解された後で第二モーターが起動され、更に回転軸を通じて巻取リールを動かして回転させ、この時、巻取リールが張り線を引っ張って、更に第一滑りブロックを連動して上昇させ、更に昇降ブロックを連動して上に移動させ、最終的に酸溶液から離脱させ、それと同時に、巻取リールが第一回転支柱を動かして回転させ、更に押しブロックを動かして回転させ、昇降ブロックが上に移動して第七固定ブロックの下端面と当接する時、昇降ブロックが上に向いて第二スイベルブロックを押し、この過程において押しブロックが酸分解された電子廃棄物を片隅に押せ、この時、作業員が開口から酸分解された電子廃棄物を取り出し、それと同時に、第三中空キャビティの中にある酸溶液が飽和状態になる時、作業員が通水バルブをつけて第三中空キャビティの中にある酸溶液を吸い出し、廃棄された電子廃棄物の中に大量の金属成分が含まれ、電子廃棄物に含まれる金属成分の含有量が鉱石より高くて、回収価値も割に高くて、本装置で電子廃棄物に含まれる金属成分を酸分解してから回収して、実用価値が割に高くて、勧める値打ちがある。
【図面の簡単な説明】
【００１４】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１５】
【図１】電子廃棄物処理装置の内部構造模式図である。
【図２】図１のＡ−Ａ方向の構造模式図である。
【図３】本装置の中にある第一回転ブロックの構造模式図である。
【発明を実施するための形態】
【００１６】
（下記に図１〜３を合わせて本発明について詳しく説明する。意思疎通の便利を図った、下記に記載した上下左右前後方向は図１自身の投影関係の上下左右前後方向と一致している）図１−３が示すように、本発明の電子廃棄物処理装置は装置主体３６と、前記装置主体３６の中に設置される溶解装置及び前記装置主体３６に設置される固定装置を含み、前記装置主体３６の中に設置される溶解装置及び前記装置主体３６に固定装置が設置され、前記溶解装置が前記装置主体３６の上側端面の中部位置に固定的に接続される第一固定ブロック１１を含み、前記第一固定ブロック１１の中に第一中空キャビティ２１が設置され、前記第一中空キャビティ２１の下側内壁に第二固定ブロック３３が固定的に接続され、前記第二固定ブロック３３の上側端面に第一モーター３４が固定的に設置され、前記第一モーター３４の上端には回転軸を通じて上端が前記第一固定ブロック１１の上側端面外に伸び出、且つ前記第一中空キャビティ２１の中で回転できる第一スイベルブロック２２が動力が伝達できるように係合接続され、前記第一スイベルブロック２２の中に上向きの第二中空キャビティ２４が設置され、前記第二中空キャビティ２４の左右両側の内壁には第一抜き穴２７が左右に貫通するように対称的に設置され、前記第一スイベルブロック２２の左右両側端面に解砕組立部品が固定的に接続され、前記第二固定ブロック３３の下側端面の中において前記第一モーター３４の下側には第二モーター３５が固定的に設置され、前記装置主体３６の中に第三中空キャビティ３７が設置され、前記第三中空キャビティ３７の中に上下スライドできる昇降ブロック４７が設置され、前記第三中空キャビティ３７の上側内壁に第四中空キャビティ５４が設置され、前記第四中空キャビティ５４の中に巻取リール５３が回転できるように設置され、前記巻取リール５３の上端が回転軸を通じて前記第二モーター３５の下端に動力が伝達できるように係合接続され、前記巻取リール５３の下端に前記第三中空キャビティ３７の中に入り込む第一回転支柱５５が固定的に接続され、前記第一回転支柱５５の上に材料押し出し装置が設置され、前記巻取リール５３に二本の張り線４２が巻き付かれ、前記第四中空キャビティ５４の左右両側に前記第一中空キャビティ２１と前記第三中空キャビティ３７とを連通する第二抜き穴４９が上下に貫通するように設置され、前記第二抜き穴４９の左右両側の内壁の間に第三固定ブロック５１が固定的に接続され、前記第三固定ブロック５１の中に前記第四中空キャビティ５４に連通される第一溝５２が設置され、前記第三中空キャビティ３７のうち左右両側の内壁に近接する上側内壁の中には前記第四中空キャビティ５４に関して対称し合う第五中空キャビティ３８がそれぞれ設置され、前記第五中空キャビティ３８のうち前記第四中空キャビティ５４に近接する片側の内壁と前記第一溝５２との間に第二溝４８が連通しあって設置され、前記第三中空キャビティ３７の左右両側の内壁に前記第五中空キャビティ３８の下端に連通される第三溝４１が設置され、前記第三溝４１の中には上下にスライドできる第一滑りブロック４５が設置され、前記巻取リール５３に周設される二本の前記張り線４２のうち前記巻取リール５３から離れている一端がそれぞれ左右両側の前記第一溝５２及び前記第二溝４８を経由し、且つ前記第五中空キャビティ３８の中に設置されるラインローラの案内によって左右対称の前記第一滑りブロック４５の上側端面に固定的に接続され、前記第三溝４１のうち前記第三中空キャビティ３７に近接する片側の内壁の中には前記第三中空キャビティ３７と前記第三溝４１とを連通する第四溝４４が設置され、前記昇降ブロック４７と前記第一滑りブロック４５とが相対する片側の端面の間には前記第四溝４４の中で上下にスライドできる第二滑りブロック４６が固定的に接続される。
【００１７】
有益的には、前記解砕組立部品は左右対称の、且つ前記第一スイベルブロック２２の左右両側の端面に固定的に接続される第四固定ブロック２８を含み、前記第四固定ブロック２８が前記第一抜き穴２７の上側における前記第一スイベルブロック２２の左右両側の端面に設置され、前記第一スイベルブロック２２が下側端面に近づく左右両側の端面には前記第四固定ブロック２８と平行するように設置される第五固定ブロック２０が対称で固定的に接続され、前記第五固定ブロック２０の上端と前記第四固定ブロック２８の下端の間に第一回転ブロック２９が回転できるように係合接続され、前記第一回転ブロック２９の周側の弧状の端面に解砕片３１が固定的に接続され、前記解砕片３１のうち前記第一スイベルブロック２２に近接する一端と、前記第一抜き穴２７のうち前記第二中空キャビティ２４から離れている一端との開口が当接され、且つ前記第一回転ブロック２９の回転中に、前記第一抜き穴２７から露出する電子廃棄物を解砕でき、前記第一中空キャビティ２１の内壁には環状の第六固定ブロック３２が固定的に接続され、前記第六固定ブロック３２が前記第一スイベルブロック２２に近づく一側端面に前記解砕片３１に係合されるねじ溝が設置され、前記ねじ溝は第一スイベルブロック２２が第一回転ブロック２９を駆動させて回転させる時、前記第一回転ブロック２９を駆動させて自転させる。
【００１８】
有益的には、前記材料押し出し装置が前記第三中空キャビティ３７の中に設置される第二スイベルブロック６０を含み、前記第二スイベルブロック６０の中に上向きの第一回転溝５８が設置され、前記第一回転支柱５５の下端が前記第一回転溝５８に入り込み、前記第一回転溝５８の左右両側の内壁に第一滑り溝５７が連通設置され、前記第一回転支柱５５の左右両側の端面には前記第一滑り溝５７の中に入り込み且つ前記第一滑り溝５７の中で上下にスライドできる第三滑りブロック５６が固定的に接続され、前記第二スイベルブロック６０の下側端面に第七固定ブロック５９が固定的に接続され、前記第七固定ブロック５９の前側端面に押しブロック６１が固定的に接続される。
【００１９】
有益的には、前記第三中空キャビティ３７の前後側端面にはそれぞれ前記第三中空キャビティ３７に連通する第二滑り溝４３が左右対称的に設置され、前記昇降ブロック４７の前後側端面にはそれぞれ接続ブロック６３を通じて前記第二滑り溝４３の中に延伸して入り込み且つ前記第二滑り溝４３のうち前記第三中空キャビティ３７から離れる片側の内壁と３６０度に転がれるように係合接続するローラー６４が接続される。
【００２０】
有益的には、前記第三中空キャビティ３７の下側内壁に前記第三中空キャビティ３７と外部を連通する出水パイプ７６が設置され、前記出水パイプ７６と前記第三中空キャビティ３７が連通する処に通水バルブ７５が設置され、前記通水バルブ７５が開弁する時に前記第三中空キャビティ３７の中の液体を放出することができる。
【００２１】
有益的には、前記第三中空キャビティ３７のうち左側に近接する上側内壁に前記第二溝４８をめぐって開口６２が前後対称に設置され、前記開口６２が酸分解された残渣を取り出すことに使われる。
【００２２】
有益的には、前記第三溝４１の上端開口のところの内壁に隔離ブロック３９が固定的に接続され、前記隔離ブロック３９で前記張り線４２を遮断して余りの酸溶液を引き出す。
【００２３】
有益的には、前記固定装置が前記装置主体３６の左右両側端面の下端に固定的に接続される固定ブロック８１を含み、前記固定ブロック８１の中には上下に貫く固定ホール８２が設置され、前記装置主体３６が前記固定装置を通して固定することができ、更に本装置が作動過程においてスライドすることを防止する。
【００２４】
本装置が使用される時、初期状態において、前記昇降ブロック４７が前記第三中空キャビティ３７の最低位置にあり、更に完全に酸溶液に浸され、電子廃棄物の酸溶解を行う時、前記第一モーター３４が起動され、同時に作業員が前記第二中空キャビティ２４の中に電子廃棄物を入れ、この時、体積が小さい電子廃棄物が前記第一抜き穴２７を通り過ぎて前記第一中空キャビティ２１の中に落ち、更に前記第二抜き穴４９を通り過ぎて前記第三中空キャビティ３７の中に落ち且つ前記昇降ブロック４７の上側端面に沈殿し、この過程において前記第一モーター３４が前記第一スイベルブロック２２を回転駆動させ、更に前記第一スイベルブロック２２が前記第一回転ブロック２９を動かして前記第一中空キャビティ２１の中で前記第一モーター３４の上端に動力が伝達できるように接続される回転軸をめぐって回らせ、同時に前記第一回転ブロック２９が前記解砕片３１により前記第六固定ブロック３２に設置される前記ねじ溝のねじ山と係合して前記第一回転ブロック２９を動かして自転させ、更に前記解砕片３１の自転により前記第二中空キャビティ２４の中にある電子廃棄物が解砕されて更に前記第三中空キャビティ３７の中に落ち、暫く酸分解された後で前記第二モーター３５が起動され、更に回転軸を通じて前記巻取リール５３を動かして回転させ、この時、前記巻取リール５３が前記張り線４２を引っ張って、更に前記第一滑りブロック４５を連動して上昇させ、更に前記昇降ブロック４７を連動して上に移動させ、最終的に酸溶液から離脱させ、それと同時に、前記巻取リール５３が前記第一回転支柱５５を動かして回転させ、更に前記押しブロック６１を動かして回転させ、前記昇降ブロック４７が上に移動して前記第七固定ブロック５９の下端面と当接する時、前記昇降ブロック４７が上に向いて前記第二スイベルブロック６０を押し、この過程において前記押しブロック６１が酸分解された電子廃棄物を片隅に押せ、この時、作業員が前記開口６２から酸分解された電子廃棄物を取り出し、それと同時に、前記第三中空キャビティ３７の中にある酸溶液が飽和状態になる時、作業員が前記通水バルブ７５をつけて前記第三中空キャビティ３７の中にある酸溶液を吸い出す。
【００２５】
以上に述べたのはただ本発明の具体的な実施方式で、しかし本発明の保護範囲はここに限らないである。